(57)【要約】  電子機器は、表示部と、複数の動作モードを有する他の電子機器から当該他の電子機器の現在の動作モード（例えば、撮影モード／再生モード）に関する情報を読み取る通信部と（Ｓ４３０）、通信部により読み取った動作モードに関する情報に応じて、表示部に表示させるユーザインタフェース画面を切り替える（Ｓ４５０）制御部と、を備える。
2014103312.tif 000002
【特許請求の範囲】
【請求項１】
表示部と、
複数の動作モードを有する他の電子機器から、当該他の電子機器の現在の動作モードに関する情報を読み取る通信部と、
前記通信部により読み取った動作モードに関する情報に応じて、前記表示部に表示させるユーザインタフェース画面を選択する制御部と、
を備えた、電子機器。
【請求項２】
前記他の電子機器は、被写体を撮像して画像データを生成する撮像部を備え、さらに前記動作モードとして、前記撮像部による撮像動作を行う撮影モードを有し、
前記制御部は、前記通信部により読み取った動作モードに関する情報が前記撮影モードを示す場合、前記他の電子機器に対して遠隔撮影指示を行うためのユーザインタフェース画面を選択し、前記表示部に表示する、請求項１に記載の電子機器。
【請求項３】
前記他の電子機器は、画像データを記録する記録媒体を装着し、さらに、前記動作モードとして、前記記録媒体に記録された画像データの再生動作を行う再生モードを有し、
前記制御部は、前記通信部により読み取った動作モードに関する情報が前記再生モードを示す場合、前記他の電子機器に対して遠隔再生指示を行うためのユーザインタフェース画面を選択し、前記表示部に表示させる、請求項１に記載の電子機器。
【請求項４】
表示部と、
他の電子機器から、特定コンテンツの属性情報を読み取る通信部と、
前記通信部により読み取った属性情報に関連する属性情報を有するコンテンツデータを所定の記録媒体から読み出し、前記読み出したコンテンツデータに基づく情報を前記表示部に表示させる制御部と、
を備えた電子機器。
【請求項５】
前記他の電子機器は、表示部を備えており、
前記通信部は、前記他の電子機器の表示部に表示されているコンテンツを特定コンテンツとして、当該特定コンテンツの属性情報を読み取る、
請求項４に記載の電子機器。
【請求項６】
前記属性情報は、前記特定コンテンツを固有に識別する識別子であり、
前記制御部は、前記通信部により読み取った識別子と同一の識別子を有するコンテンツデータを前記記録媒体から読み出して、前記読み出したコンテンツデータが示すコンテンツを前記表示部に表示させる、
請求項４又は５に記載の電子機器。
【請求項７】
前記特定コンテンツは、画像であり、
前記属性情報は、前記画像を撮影した日付を示す日付情報、前記画像に含まれる個人を認識するための個人認識情報、前記画像を撮影した地理的位置を示す位置情報、前記画像を撮影した撮影シーンモードに関する情報のうちの少なくともいずれかを含む、
請求項４又は５に記載の電子機器。
【請求項８】
表示部と、
他の電子機器から、特定コンテンツの属性情報を読み取る通信部と、
前記通信部により読み取った属性情報に関連する情報である参考情報を前記表示部に表示させる制御部と、
を備えた電子機器。
【請求項９】
前記他の電子機器は、表示部を備えており、
前記通信部は、前記他の電子機器が前記表示部に表示させたコンテンツを特定コンテンツとして、当該特定コンテンツの属性情報を読み取る、
請求項８に記載の電子機器。
【請求項１０】
前記特定コンテンツは、画像であり、
前記属性情報は、前記画像を撮影した地理的位置を示す位置情報であり、
前記制御部は、前記参考情報として、前記通信部により読み取った位置情報に対応する、地図画像、ランドマーク情報、Ｗｅｂサイトの画面のうちの少なくともいずれかを、前記表示部に表示させる、請求項８又は９に記載の電子機器。
【請求項１１】
電子機器の表示部におけるユーザインタフェース画面の表示方法であって、
複数の動作モードを有する他の電子機器から、当該他の機器の現在の動作モードに関する情報を読み取り、
前記読み取った動作モードに関する情報に応じて、前記表示部に表示させるユーザインタフェース画面を選択する、
ユーザインタフェース画面の表示方法。
【請求項１２】
電子機器における情報の表示方法であって、
所定の記録媒体にコンテンツデータを格納しておき、
通信を介して他の機器から特定コンテンツの属性情報を読み取り、
前記読み取った属性情報に関連する属性情報を有するコンテンツデータを前記所定の記録媒体から読み出し、前記読み出したコンテンツデータに基づく情報を前記電子機器の表示部に表示させる、
情報の表示方法。
【請求項１３】
電子機器における情報の表示方法であって、
通信を介して他の機器から特定コンテンツの属性情報を読み取り、
前記読み取った属性情報に関連する情報である参考情報を前記電子機器の表示部に表示させる、
情報の表示方法。
【発明の詳細な説明】
【技術分野】
【０００１】
本開示は、他の機器と通信可能な電子機器に関する。
【背景技術】
【０００２】
近接型通信を行うことができる通信装置が知られている。例えば、特許文献１は、ＮＦＣ（Ｎｅａｒ Ｆｉｅｌｄ Ｃｏｍｍｕｎｉｃａｔｉｏｎ）通信を行う通信インタフェースを備えた通信装置を開示している。
【先行技術文献】
【特許文献】
【０００３】
【特許文献１】特開２００５−４５５５７号公報
【発明の概要】
【発明が解決しようとする課題】
【０００４】
本開示は、利便性のより高い電子制御装置を提供することを目的とする。
【課題を解決するための手段】
【０００５】
本開示の第１の電子機器は、表示部と、複数の動作モードを有する他の電子機器から、当該他の電子機器の現在の動作モードに関する情報を読み取る通信部と、通信部により読み取った動作モードに関する情報に応じて、表示部に表示させるユーザインタフェース画面を選択する制御部と、を備える。【０００６】
本開示の第２の電子機器は、表示部と、他の電子機器から、特定コンテンツの属性情報を読み取る通信部と、通信部により読み取った属性情報に関連する属性情報を有するコンテンツデータを所定の記録媒体から読み出し、読み出したコンテンツデータに基づく情報を表示部に表示させる制御部と、を備える。【０００７】
本開示の第３の電子機器は、表示部と、他の電子機器から特定コンテンツの属性情報を読み取る通信部と、通信部により読み取った属性情報に関連する情報である参考情報を表示部に表示させる制御部と、を備える。【０００８】
本開示の第１の表示方法は、電子機器の表示部におけるユーザインタフェース画面の表示方法である。第１の表示方法は、複数の動作モードを有する他の電子機器から、当該他の電子機器の現在の動作モードに関する情報を読み取り、読み取った動作モードに関する情報に応じて、表示部に表示させるユーザインタフェース画面を切り替える。【０００９】
本開示の第２の表示方法は、電子機器における情報の表示方法である。第２の表示方法は、電子機器の記録媒体にコンテンツデータを格納しておき、通信を介して他の機器から特定コンテンツの属性情報を読み取り、読み取った属性情報に関連する属性情報を有するコンテンツデータを所定の記録媒体から読み出し、読み出したコンテンツデータに基づく情報を電子機器の表示部に表示させる。【００１０】
本開示の第３の表示方法は、電子機器における情報の表示方法である。第３の表示方法は、通信を介して他の機器から特定コンテンツの属性情報を読み取り、読み取った属性情報に関連する情報である参考情報を電子機器の表示部に表示させる。
【発明の効果】
【００１１】
本開示によれば、利便性のより高い電子機器を提供することができる。
【図面の簡単な説明】
【００１２】
【図１】デジタルカメラ１００とスマートフォン２００からなるシステム構成図
【図２】デジタルカメラ１００の電気的構成図
【図３】スマートフォン２００の電気的構成図
【図４】デジタルカメラ１００とスマートフォン２００の接続動作に関するシーケンス図
【図５】撮影モード用ユーザインタフェース画面表示動作のフローチャート
【図６】動作モードに対するユーザインタフェース画面データの対応表のイメージ図
【図７】撮影モード用ユーザインタフェース画面のイメージ図
【図８】再生モード用ユーザインタフェース画面表示動作のフローチャート
【図９】一枚再生モード用ユーザインタフェース画面のイメージ図
【図１０】マルチ再生モード用ユーザインタフェース画面のイメージ図
【図１１】属性情報（付属情報）として画像識別子を用いる場合の動作フローチャート
【図１２】スマートフォン２００に特定させる画像を表示させた液晶モニタ１３０のイメージ図
【図１３】属性情報として日付情報を用いる場合の動作フローチャート
【図１４】液晶モニタ２１５上へのマルチ表示のイメージ図
【図１５】属性情報として個人認証情報を用いる場合の動作フローチャート
【図１６】属性情報として撮影した地理的位置を示す位置情報を用いる場合の動作フローチャート
【図１７】属性情報として撮影した撮影シーン情報を用いる場合の動作フローチャート
【図１８】クラウドサーバ３００の電気的構成図
【図１９】参考情報として地図画像を取得する場合の動作フローチャート
【図２０】参考情報としてランドマーク情報を取得する場合の動作フローチャート
【図２１】地理的位置に対するランドマーク情報の対応表のイメージ図
【図２２】参考情報としてＷｅｂページを取得する場合の動作フローチャート
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１４】
〔実施の形態１〕
図１は、本実施の形態１にかかるデジタルカメラ１００とスマートフォン２００からなるシステム構成図である。スマートフォン２００は、ＮＦＣ（Ｎｅａｒ Ｆｉｅｌｄ Ｃｏｍｍｕｎｉｃａｔｉｏｎ）を介した通信動作を経て、デジタルカメラ１００から情報を読み取ることができる。
【００１５】
実施の形態１にかかるスマートフォン２００は、デジタルカメラ１００から撮影モード／再生モードに関する情報を読み取り、スマートフォンの画面を、撮影モード画面／再生モード画面から選択する。これにより、デジタルカメラが撮影モードのときに、スマートフォン側を撮影モードにユーザ自らマニュアルで設定することなく、自動的にスマートフォン側を撮影モードに移行させることができる。
【００１６】
以下、実施の形態１にかかるデジタルカメラ１００およびスマートフォン２００の構成および動作について説明する。
【００１７】
〔１−１．構成〕
以下図を用いて、実施の形態１にかかるデジタルカメラ１００およびスマートフォン２００の構成を説明する。
【００１８】
〔１−１−１．デジタルカメラ１００の構成〕
図２は、デジタルカメラ１００の電気的構成図である。デジタルカメラ１００は、光学系１１０を介して形成された被写体像をＣＭＯＳイメージセンサ１１５で撮像する。ＣＭＯＳイメージセンサ１１５は撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データをカードスロット１４０に装着されたメモリカード１４０に記録する。また、コントローラ１３５は、メモリカード１４０に記録された画像データを、使用者による操作部１５０の操作を受け付けて液晶モニタ１３０上に表示させること（再生）ができる。
【００１９】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００２０】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミングおよび電子シャッタ動作は、コントローラ１３５によって制御される。なお、撮像素子はＣＭＯＳイメージセンサに限定されず、ＣＣＤイメージセンサやＮＭＯＳイメージセンサなど、他のイメージセンサを用いてもよい。
【００２１】
画像処理部１２０は、ＣＭＯＳイメージセンサ１１５から出力された撮像データに対して各種の処理を施して画像データを生成する。また、画像処理部１２０は、メモリカード１４５から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００２２】
液晶モニタ１３０は、デジタルカメラ１００の背面に備わる。液晶モニタ１３０は、画像処理部１２０にて処理された画像データに基づく画像を表示する。なお、表示装置は、液晶モニタに限定されず、有機ＥＬモニタなど、他のモニタを用いてもよい。
【００２３】
コントローラ１３５は、デジタルカメラ１００全体の動作を統括制御する。コントローラ１３５は、ハードワイヤードな電子回路で構成してもよいし、マイクロコンピュータなどで構成してもよい。また、コントローラ１３５は、画像処理部１２０などと共に1つの半導体チップで構成してもよい。また、図示していないが、コントローラ１３５は内部にＲＯＭを有している。ＲＯＭには、他の通信機器とのＷｉＦｉ通信を確立するために必要なＳＳＩＤ（Ｓｅｒｖｉｃ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）が記憶されている。コントローラ１３５は、必要に応じて、ＲＯＭからＳＳＩＤ、ＷＥＰキーを読み出すことができる。また、ＲＯＭには、オートフォーカス制御（ＡＦ制御）や、通信制御に関するプログラムの他、デジタルカメラ１００全体の動作を統括制御するためのプログラムが記憶されている。
【００２４】
バッファメモリ１２５は、画像処理部１２０やコントローラ１３５のワークメモリとして機能する記憶媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２５】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録素子を備えた外部メモリである。メモリカード１４５は、画像処理部１２０で生成される画像データなどのデータを格納できる。
【００２６】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２７】
ＷｉＦｉモジュール１５５は、通信規格ＩＥＥＥ８０２．１１に準拠した通信を行う通信モジュールである。デジタルカメラ１００は、ＷｉＦｉモジュール１５５を介して、ＷｉＦｉモジュールを搭載した他の通信機器と通信することができる。デジタルカメラ１００は、ＷｉＦｉモジュール１５５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールを使用しても構わない。すなわち、通信モジュールとして、比較的通信ビットレートが高く、通信エリアが数メートル以上である通信が可能な通信モジュールを使用すればよい。
【００２８】
ＮＦＣタグ１６０は、ＮＦＣ規格に準拠した通信を行う通信タグである。デジタルカメラ１００は、ＮＦＣタグ１６０を介して、ＮＦＣリーダライタを搭載した他の通信機器と通信し、当該ＮＦＣリーダライタからのデータの読み取りおよび書き込みに応じる。ＮＦＣタグ１６０は、アンテナ、メモリ、ロジック回路を備えている。ＮＦＣタグ１６０のアンテナは、ＮＦＣ規格に準拠した信号を送受信する。ＮＦＣタグ１６０のメモリは、ＮＦＣリーダライタに読み取らせる情報を格納する。また、ＮＦＣタグ１６０のメモリは、ＮＦＣリーダライタによって情報が書き込まれる。ＮＦＣタグ１６０のロジック回路は、アンテナが受信した信号を復調してコントローラ１３５に伝送したり、コントローラ１３５やＮＦＣタグ１６０のメモリから伝送された信号を変調したりする。ＮＦＣタグ１６０は、デジタルカメラ１００の内部から電力供給されていない状態であっても、ＮＦＣタグ１６０に近接したＮＦＣリーダライタからの電磁誘導により電力が供給され動作することができる。
【００２９】
ＮＦＣ規格に準拠した通信の通信エリアは、数センチ程度である。ＮＦＣタグ１６０を介した通信のためには、デジタルカメラ１００のユーザは、ＮＦＣリーダライタを搭載した他の通信機器が、デジタルカメラ１００から数センチ程度の距離内に入るよう、デジタルカメラ１００を他の通信機器に近接させる必要がある。なお、ＮＦＣタグ１６０に換えて、他の近接場型の無線通信を行う通信手段を用いてもよい。
【００３０】
〔１−１−２．スマートフォン２００の構成〕
図３は、スマートフォン２００の電気的構成図である。スマートフォン２００は、画像処理部２０５にて生成された画像データが示す画像を液晶モニタ２１５に表示することができる。液晶モニタ２１５の表面にはタッチパネル２１０が配置されており、ユーザによるタッチ操作を受け付けることができる。また、スマートフォン２００は操作部２３０を有し、操作部２３０上でタッチパネル２１０による操作以外の操作を行うことができる。コントローラ２２５は、ＷｉＦｉモジュール２３５、ＮＦＣリーダライタ２４０を介して、他の通信機器と通信することができる。
【００３１】
画像処理部２０５は、メモリカード１４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００３２】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００３３】
液晶モニタ２１５は、コントローラ２２５から指示された画面を表示する表示デバイスである。
【００３４】
バッファメモリ２２０は、コントローラ２２５が各種処理動作を実行するために必要な情報を一時的に格納するメモリである。
【００３５】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、ＷｉＦｉモジュール２３５及びＮＦＣリーダライタ２４０に電気的に接続されている。
【００３６】
ＷｉＦｉモジュール２３５は、通信規格ＩＥＥＥ８０２．１１に準拠した通信を行う通信モジュールである。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールを使用しても構わない。すなわち、通信モジュールとして、比較的通信ビットレートが高く、通信エリアが数メートル以上である通信が可能な通信モジュールを使用すればよい。
【００３７】
ＮＦＣリーダライタ２４０は、ＮＦＣ規格に準拠した通信を行う通信リーダである。スマートフォン２００は、ＮＦＣリーダライタ２４０を介して、ＮＦＣリーダライタを搭載した他の通信機器や、ＮＦＣタグを搭載した他の通信機器と通信し、ＮＦＣタグのデータの読み取りおよび書き込みを行うことができる。ＮＦＣリーダライタ２４０は、アンテナ、メモリ、ロジック回路を備えている。ＮＦＣリーダライタ２４０のアンテナは、ＮＦＣ規格に準拠した信号を送受信する。ＮＦＣリーダライタ２４０のメモリは、ＮＦＣタグに書き込む情報を格納する。また、ＮＦＣリーダライタ２４０のメモリは、ＮＦＣタグから読み取った情報を格納する。ＮＦＣリーダライタ２４０のロジック回路は、アンテナが受信した信号を復調してコントローラ２２５に伝送したり、コントローラ２２５やＮＦＣリーダライタ２４０のメモリから伝送された信号を変調したりする。ＮＦＣリーダライタ２４０は、近接させたＮＦＣタグが電力供給されていない状態であっても、近接させたＮＦＣタグに電磁誘導により電力を供給し、情報を書き込んだり、読み取ったりすることができる。なお、ＮＦＣリーダライタに換えて、他の近接場型の無線通信を行う通信手段を用いてもよい。
【００３８】
フラッシュメモリ（以下単に「メモリ」という。）２４５は、スマートフォン２００で撮影した画像データ及びデジタルカメラ１００から転送された画像データ等を格納する。
【００３９】
なお、スマートフォン２００は、電話機能や、インターネット通信機能や、カメラ機能を備えていてもよい。
【００４０】
〔１−２．動作〕
実施の形態１にかかるデジタルカメラ１００とスマートフォン２００間の通信動作を説明する。以下の説明では、デジタルカメラ１００のＮＦＣタグ１６０と、スマートフォン２００のＮＦＣリーダライタ２４０とを、ＮＦＣ規格に準拠した通信の通信距離範囲内に近づけるユーザの動作を、「タッチ動作」と称する。タッチ動作においては、スマートフォン２００（すなわち、ＮＦＣリーダライタ２４０）を、デジタルカメラ１００（すなわち、ＮＦＣタグ１６０）に近づけてもよいし、または、その逆でもよい。
【００４１】
〔１−２−１．ＷｉＦｉ通信確立〕
最初に、図４を用いて、デジタルカメラ１００と、スマートフォン２００とのＷｉＦｉ通信確立にかかる動作について説明する。図４は、デジタルカメラ１００とスマートフォン２００の接続動作に関するシーケンス図である。
【００４２】
スマートフォン２００がデジタルカメラ１００にタッチされると（Ｓ３１０）、スマートフォン２００のコントローラ２２５は、ＮＦＣタグ１６０およびＮＦＣリーダライタ２４０を介して、デジタルカメラ１００のコントローラ１３５から、デジタルカメラ１００と接続するために必要な接続情報（ＳＳＩＤ、ＷＥＰキー）を読み取る（Ｓ３１０）。接続情報を読み取ると、スマートフォン２００のコントローラ２２５は、読み取った接続情報を自機に設定する（Ｓ３２０）。これにより、スマートフォン２００のコントローラ２２５は、通信すべき相手であるデジタルカメラ１００のＷｉＦｉモジュール１５５の特定と、特定したデジタルカメラ１００のＷｉＦｉモジュール１５５と通信するための暗号を解除することができる。これにより、スマートフォン２００のＷｉＦＩモジュール２３５と、デジタルカメラ１００のＷｉＦｉモジュール１５５は、ＷｉＦｉ通信を確立することができる（Ｓ３３０）。
【００４３】
以上のようにしてＷｉＦｉ通信の確立後、スマートフォン２００において所定のアプリケーションが起動されている状態で、デジタルカメラ１００にスマートフォン２００をタッチさせると、スマートフォン２００からデジタルカメラ１００に対する遠隔操作が可能となる。このとき、スマートフォン２００において表示される、遠隔操作のためのユーザインタフェース画面は、デジタルカメラ１００の動作モードに応じて選択される。以下、スマートフォン２００におけるユーザインタフェース画面の表示動作について説明する。
【００４４】
〔１−２−２．撮影モード用ユーザインタフェース画面の表示〕
図５は、実施の形態１にかかる、スマートフォン２００での撮影モード用ユーザインタフェース画面表示動作のフローチャートである。図５を用いて、スマートフォン２００が、デジタルカメラ１００から読み取った動作モード設定に関する情報に応じて、ユーザインタフェース画面を選択して表示する動作について説明する。なお、本画面表示動作の前に図４で説明したＷｉＦｉ通信確立は完了しているものとする。
【００４５】
まず、ユーザは、デジタルカメラ１００の電源をＯＮにした後、デジタルカメラ１００のモードダイアルを操作して、デジタルカメラ１００を撮影モードに設定する（Ｓ４００）。撮影モードに設定されると、デジタルカメラ１００は、光学系１１０を介して形成された被写体像をＣＭＯＳイメージセンサ１１５で撮像して、撮像データ生成を開始する。画像処理部１２０は、撮像データに対して各種の処理を施し、画像データを生成する。液晶モニタ１３０は、逐次生成される画像データに基づくスルー画像を表示する。
【００４６】
また、ユーザは、スマートフォン２００のタッチパネル２１０を操作して、アプリケーションソフトを起動させる。すなわち、スマートフォン２００のコントローラ２２５は、ユーザ操作にしたがいアプリケーションソフトを起動する（Ｓ４１０）。本アプリケーションソフトは、スマートフォン２００でのデジタルカメラ１００の遠隔操作を可能とするためのアプリケーションソフトである。本アプリケーションソフトを起動させることにより、スマートフォン２００がデジタルカメラ１００を遠隔操作するための準備が整う。
【００４７】
続いて、ユーザは、デジタルカメラ１００とスマートフォン２００とをタッチさせる（Ｓ４２０）。このタッチ動作により、スマートフォン２００のＮＦＣリーダライタ２４０は、デジタルカメラ１００のＮＦＣタグ１６０から、デジタルカメラ１００の動作モードに関する設定情報を読み取る。デジタルカメラ１００は、撮影モードに設定されているため、スマートフォン２００のＮＦＣリーダライタ２４０は、デジタルカメラ１００のＮＦＣタグ１６０から、設定が撮影モードである旨を示す設定情報を読み取る（Ｓ４３０）。
【００４８】
続いて、デジタルカメラ１００のコントローラ１３５は、ＷｉＦｉモジュール１５５およびＷｉＦｉモジュール２３５を介して、スマートフォン２００に対して、ＣＭＯＳイメージセンサ１１５により逐次生成される画像データに基づくスルー画像（撮影画像）を転送する（Ｓ４４０）。
【００４９】
続いて、スマートフォン２００のコントローラ２２５は、ステップＳ４３０で読み取った、撮影モードであることを示す設定情報を受けて、スマートフォン２００内のメモリから、撮影モード用ユーザインタフェース（ＵＩ）画面データを読み出す。スマートフォン２００は、図６に示すような、動作モードと、それに対するユーザインタフェース画面データとの対応表を所持している。スマートフォン２００のコントローラ２２５は、図６に示す対応表を参照することにより、デジタルカメラ１００の動作モードに対応するユーザインタフェース画面データを選択することができる。
【００５０】
スマートフォン２００のコントローラ２２５は、ステップＳ４４０にて取得したスルー画像（撮影画像）に、撮影モード用ユーザインタフェース画面データが示す画像を重畳させて、液晶モニタ２１５に表示させる（Ｓ４５０）。
【００５１】
図７は、撮影モード用ユーザインタフェース画面を説明した図である。スマートフォン２００の液晶モニタ２１５は、図７に示すような、撮影モード用ユーザインタフェース画面を表示する。撮影モード用ユーザインタフェース画面は、図７に示すように、表示領域２０００と、動作指示ボタン２０１０とを備える。表示領域２０００は、ステップＳ４４０にてデジタルカメラ１００から取得したスルー画像（撮影画像）を表示する領域である。動作指示ボタン２０１０は、デジタルカメラ１００に対する動作指示を行うためのボタンである。ユーザは、タッチパネル２１０を操作して、液晶モニタ２１５に表示された動作指示ボタン２０１０のいずれかを操作する。スマートフォン２００のコントローラ２２５は、この操作を受けて、ＷｉＦｉモジュール２３５およびＷｉＦｉモジュール１５５を介して、デジタルカメラ１００に対して動作指示を送信する。
【００５２】
デジタルカメラ１００のコントローラ１３５は、スマートフォン２００からの動作指示を受けて、撮影条件を変更する。そして、デジタルカメラ１００のコントローラ１３５は、ＷｉＦｉモジュール１５５およびＷｉＦｉモジュール２３５を介して、変更後の撮影条件に基づき撮影されたスルー画像（撮影画像）を、スマートフォン２００に転送する。
【００５３】
以上のように、デジタルカメラ１００の設定（撮影モード）を示す設定情報を読み取ったとき、スマートフォン２００は、当該設定情報に対応する撮影モード用ユーザインタフェース画面を選択する。これにより、デジタルカメラが撮影モードのときに、ユーザがマニュアルで設定することなく、自動的にスマートフォンを撮影モードに移行させることができる。
【００５４】
〔１−２−３．再生モード用ユーザインタフェース画面の表示〕
図８は、実施の形態１にかかる、スマートフォン２００における再生モード用ユーザインタフェース画面の表示動作を示すフローチャートである。スマートフォン２００は、デジタルカメラ１００から読み取った、再生モード設定に関する情報に応じて、再生モード用ユーザインタフェース画面を表示する。なお、図８に示す動作の前において、図４で説明したＷｉＦｉ通信確立が完了しているものとする。
【００５５】
図８におけるステップＳ５００からステップＳ５５０までの再生モードについての動作は、下記の点以外は、基本的に図６におけるステップＳ４００からステップＳ４５０までの撮影モードについての動作と同様である。
（１）デジタルカメラ１００の現在の設定が“再生モード”であり、設定情報が再生モードを示す。
（２）デジタルカメラ１００に装着されたメモリカードに記録された画像データをスマートフォン２００に転送する。
（３）ステップＳ５３０で読み取った設定情報を受けて、再生モード用ユーザインタフェース画面を表示する。
【００５６】
図９及び図１０に、再生モード用ユーザインタフェース画面の例を示す。図９は、一枚再生モード用ユーザインタフェース画面を示す図である。図１０は、マルチ再生モード用ユーザインタフェース画面を示す図である。一枚再生モードとは、一枚の画像のみを表示する再生モードである。マルチ再生モードとは、同時に複数枚の画像を表示する再生モードである。ステップＳ５３０で取得した設定情報に基づき、デジタルカメラ１００の現在の設定が一枚再生モードであるかマルチ再生モードであるかに応じて、スマートフォン２００は、対応する再生モード用ユーザインタフェースを表示する。
【００５７】
以上のように、実施の形態１にかかるスマートフォン２００は、液晶モニタ１３０と、複数の動作モードを有するデジタルカメラ１００からその現在の動作モードに関する情報を読み取るＮＦＣリーダライタ２４０と、ＮＦＣリーダライタ２４０により読み取った動作モードに関する情報に応じて、液晶モニタ１３０に表示させるユーザインタフェース画面を切り替えるコントローラ２２５と、を備える。
【００５８】
すなわち、スマートフォン２００は、デジタルカメラ１００から動作モード（撮影モード／再生モード）に関する情報を読み取り、その読み取った情報に基づき、スマートフォン２００の液晶モニタ１３０に表示させる画面を、撮影モード用画面または再生モード用画面に決定する。このとき、デジタルカメラ１００の現在のモード設定に関する情報（撮影モード／再生モードに関する情報）が、スマートフォン２００に読み取らせる撮影モード／再生モードに関する情報となる。
【００５９】
これにより、デジタルカメラ１００が撮影モードのときに、スマートフォン２００を撮影モードにマニュアルで設定することなく、自動的にスマートフォン２００を撮影モードに移行させることができる。これにより、ユーザは、スマートフォン２００を容易に撮影モードに設定することができ、その上、スマートフォン２００によるデジタルカメラ１００の遠隔撮影操作をより容易に行うことができる。
【００６０】
〔実施の形態２〕
実施の形態２にかかるスマートフォン２００は、デジタルカメラ１００から読み取った特定画像の属性情報（付属情報）に基づいて、スマートフォン２００のフラッシュメモリ２４５内に記録された画像の中から属性情報に関連する画像を抽出する。そして、スマートフォ２００は、抽出した画像の結果を液晶モニタ１３０に表示する。これにより、スマートフォン２００のフラッシュメモリ２４５内に記録された画像のうち、タッチしたデジタルカメラ１００で表示されている画像と関連性の高い画像を即座に発見することができる。
【００６１】
実施の形態２にかかるデジタルカメラ１００およびスマートフォン２００の構成については、実施の形態１において説明したデジタルカメラ１００およびスマートフォン２００の構成と同様であるため、詳細説明は省略する。そして、実施の形態１と同一の構成要素は同一の符号を付して説明する（以後の実施形態においても同様）。
【００６２】
以下、実施の形態２にかかるデジタルカメラ１００およびスマートフォン２００の動作について説明する。
【００６３】
（１）属性情報として画像識別子を用いる場合
図１１は、属性情報として画像識別子を用いる場合の動作フローチャートである。デジタルカメラ１００のユーザは、メモリカード１４５に記録された画像データのうち、スマートフォン２００内のメモリから検索したい画像データを選択して、当該画像データが示す画像を液晶モニタ１３０に表示させる。すなわち、スマートフォン２００のコントローラ２２５は、ユーザにより選択された画像を液晶モニタ１３０に表示する（Ｓ６００）。
【００６４】
図１２は、デジタルカメラ１００の液晶モニタ１３０において、スマートフォン２００に画像を特定させるために用いる画像を表示させた状態を示す図である。液晶モニタ１３０に、スマートフォン２００に特定させる画像を表示させることで、ユーザが特定したい画像を視覚的に把握することができる。
【００６５】
一方、ユーザは、スマートフォン２００のタッチパネル２１０を操作して、アプリケーションソフトを起動させる（Ｓ６１０）。すなわち、スマートフォン２００のコントローラ２２５は、ユーザ操作にしたがいアプリケーションソフトを起動する。本アプリケーションソフトは、スマートフォン２００がデジタルカメラ１００から読み取った属性情報に基づいて、スマートフォン２００内のフラッシュメモリ２４５に記録された画像を検索するためのアプリケーションソフト（以下「画像検索アプリケーション」と称す。）である。画像検索アプリケーションソフトを起動させることにより、スマートフォン２００がデジタルカメラ１００から属性情報を読み取る準備が整う。
【００６６】
続いて、ユーザは、デジタルカメラ１００とスマートフォン２００とをタッチさせる（Ｓ６２０）。このタッチ動作により、スマートフォン２００のＮＦＣリーダライタ２４０は、デジタルカメラ１００のＮＦＣタグ１６０から、デジタルカメラ１００の液晶モニタ１３０に表示されている画像データの属性情報として、当該画像データを識別するための画像識別子を読み取る（Ｓ６３０）。画像識別子は、画像データが撮影により生成されたときに、当該画像データに固有に付与される識別子である。画像識別子は、画像データが他の記録媒体にコピーされたりムーブされたりしても変更されない。
【００６７】
スマートフォン２００のコントローラ２２５は、フラッシュメモリ２４５に記録された画像データのヘッダ情報を参照して、ステップＳ６３０にて読み取った画像識別子と同一の画像識別子を有する画像がフラッシュメモリ２４５に存在しているか否かを調べる。ステップＳ６３０にて読み取った画像識別子と同一の画像識別子を有する画像がフラッシュメモリ２４５に存在した場合、コントローラ２２５は、その画像を特定する（Ｓ６４０）。そして、スマートフォン２００のコントローラ２２５は、特定した画像を、スマートフォン２００の液晶モニタ２１５に表示する（Ｓ６５０）。
【００６８】
一方、ステップＳ６３０にて読み取った画像識別子と同一画像識別子を有する画像がスマートフォン２００のメモリに記録されていない場合、スマートフォン２００のコントローラ２２５は、存在しない旨を示すメッセージを、液晶モニタ２１５に表示する。
【００６９】
以上のように、スマートフォン２００内に記録された画像のうち、タッチしたデジタルカメラ１００で表示されている画像と同一の画像を即座に発見することができる。これにより、同一の画像をより容易に発見することができる。
【００７０】
上記の説明では、スマートフォン２００内のメモリに記録された画像のうち、タッチしたデジタルカメラ１００で表示されている画像と同一の画像を発見するとしたが、これに限定されない。予め、複数の画像間で関連付けをしておき、スマートフォン２００のフラッシュメモリ２４５に記録された画像のうち、タッチしたデジタルカメラ１００で表示されている画像に関連する画像が表示されるようにしてもよい。この方法により、例えば、撮影画像に関連する広告画像をユーザに提供することができる。
【００７１】
（２）属性情報として日付情報を用いる場合
図１３は、属性情報として日付情報を用いる場合の動作フローチャートである。デジタルカメラ１００のユーザは、メモリカード１４５に記録された画像データのうち、スマートフォン２００のフラッシュメモリ２４５内の画像データから、検索したい日付に撮影された画像データを選択して、当該画像データが示す画像を液晶モニタ１３０に表示させる。すなわち、スマートフォン２００のコントローラ２２５は、ユーザにより選択された画像を液晶モニタ１３０に表示する（Ｓ７００）。
【００７２】
一方、ユーザは、スマートフォン２００のタッチパネル２１０を操作して、画像検索アプリケーションソフトを起動させる（Ｓ７１０）。すなわち、スマートフォン２００のコントローラ２２５は、ユーザ操作にしたがい画像検索アプリケーションソフトを起動する。
【００７３】
続いて、ユーザは、デジタルカメラ１００とスマートフォン２００とをタッチさせる（Ｓ７２０）。このタッチ動作により、スマートフォン２００のＮＦＣリーダライタ２４０は、デジタルカメラ１００のＮＦＣタグ１６０から、デジタルカメラ１００の液晶モニタ１３０に表示されている画像データの属性情報として、当該画像データが撮影された日付の情報を読み取る（Ｓ７３０）。
【００７４】
スマートフォン２００のコントローラ２２５は、スマートフォン２００内のフラッシュメモリ２４５に記録された画像データのヘッダ情報を参照して、ステップＳ７３０にて読み取った日付と同日の日付に撮影された画像がメモリ内に存在するか否かをサーチする（Ｓ７４０）。ステップＳ７３０にて読み取った日付と同日の日付に撮影された画像が存在した場合、スマートフォン２００のコントローラ２２５は、当該画像を、スマートフォン２００の液晶モニタ２１５に表示する（Ｓ７５０）。ステップＳ７３０にて読み取った日付と同日の日付に撮影された画像が複数存在する場合は、図１４に示すように、該当する画像を液晶モニタ２１５にマルチ表示する。
【００７５】
一方、ステップＳ７３０にて読み取った日付と同日の日付で撮影された画像が存在しない場合、スマートフォン２００のコントローラ２２５は、存在しない旨を示すメッセージを、スマートフォン２００の液晶モニタ２１５に表示する。
【００７６】
以上のように、スマートフォン２００内に記録された画像のうち、タッチしたデジタルカメラ１００で表示されている画像と同じ日付の画像を一括でサーチすることができる。これにより、同じ日付の画像をより容易に発見することができるため、他のユーザとの画像シェアリングがより容易となる。また、同じ日付の画像を集めた画像編集がより容易になる。上記では、タッチしたデジタルカメラ１００で表示されている画像と同日の日付の画像を検索するとしたが、ユーザの設定内容に応じて、撮影日付のうち年月または年が同じの画像を検索するようにしてもよい。
【００７７】
（３）属性情報として個人認証情報を用いる場合
図１５は、属性情報として個人認証情報を用いる場合の動作フローチャートである。デジタルカメラ１００の液晶モニタ１３０で表示させた画像に写っている人物の個人認証情報が、スマートフォンに読み取らせる属性情報となる。個人認証情報は例えば顔の特徴を示す情報である。スマートフォン２００のコントローラ２２５は、デジタルカメラ１００から取得した個人認証情報に基づいて、スマートフォン２００のフラッシュメモリ２４５内の画像のうち、当該個人認証情報に対応する画像を、スマートフォン２００の液晶モニタ２１５に表示する。図１５に示すステップＳ８００からステップＳ８５０の動作は、図１３に示すステップＳ７００からステップＳ７５０の動作と同様であるため、詳細説明は割愛する。
【００７８】
以上のように、スマートフォン２００のフラッシュメモリ２４５内に記録された画像のうち、タッチしたデジタルカメラ１００で表示されている画像と同一の個人認証情報を含む画像を一括でサーチすることができる。これにより、同じ個人認証情報を含む画像をより容易に発見することができるため、他のユーザとの画像シェアリングがより容易となる。また、同じ個人が撮影された画像を集めた画像編集をより容易に行うことができる。
【００７９】
（４）属性情報として地理的位置情報を用いる場合
図１６は、属性情報として撮影した地理的位置を示す位置情報を用いる場合の動作フローチャートである。デジタルカメラ１００の液晶モニタ１３０で表示させた画像を撮影した地理的位置を示す位置情報が、スマートフォン２００に読み取らせる属性情報となる。スマートフォン２００は、デジタルカメラ１００から取得した位置情報に基づいて、スマートフォン２００のフラッシュメモリ２４５内の画像のうち、当該位置情報に対応する画像を、スマートフォン２００の画面に表示する。なお、当該位置情報に対応する画像は、その位置情報が示す位置と同じ位置有する画像及び／またはその位置から所定の範囲内の位置を有する画像を含む。図１６に示すステップＳ９００からステップＳ９５０の動作は、図１３に示すステップＳ７００からステップＳ７５０の動作と同様であるため、詳細説明は割愛する。
【００８０】
以上のように、スマートフォン２００内のフラッシュメモリ２４５に記録された画像のうち、タッチしたデジタルカメラ１００で表示されている画像と同じ位置又はそれに近い位置の位置情報を含む画像を一括でサーチすることができる。これにより、同じ位置又は近い位置の位置情報を含む画像をより容易に発見することができるため、他のユーザとの画像シェアリングがより容易となる。また、同じ撮影位置で撮影された画像を集めた画像編集をより容易に行うことができる。
【００８１】
（５）属性情報として撮影シーン情報を用いる場合
図１７は、属性情報として撮影した撮影シーン情報を用いる場合の動作フローチャートである。デジタルカメラ１００の液晶モニタ１３０で表示させた画像を撮影したときのシーンモードを示す撮影シーン情報が、スマートフォン２００に読み取らせる属性情報となる。撮影シーン情報は、撮影時に用いたシーンモードを示す情報であり、例えば、夕焼け撮影である旨を示す撮影シーン情報や、夜景撮影である旨を示す撮影シーン情報などを含む。スマートフォン２００は、デジタルカメラ１００から取得した撮影シーン情報に基づいて、スマートフォン２００のフラッシュメモリ２４５内の画像のうち、当該撮影シーン情報と同じ撮影シーン情報を有する画像を、スマートフォン２００の画面に表示する。図１７に示すステップＳ１０００からステップＳ１０５０の動作は、図１３に示すステップＳ７００からステップＳ７５０の動作と同様であるため、詳細説明は割愛する。
【００８２】
以上のように、本実施形態のスマートフォン２００は、液晶モニタ２１５と、デジタルカメラ１００から、特定画像（特定コンテンツ）の属性情報を読み取るＮＦＣリーダライタ２４０と、ＮＦＣリーダライタ２４０により読み取った属性情報に関連する属性情報を有する画像データ（コンテンツデータ）をフラッシュメモリ２４５から読み出し、読み出した画像データに基づく画像（情報）を液晶モニタ２１５に表示させるコントローラ２２５と、を備える。
【００８３】
すなわち、スマートフォン２００内のフラッシュメモリ２４５に記録された画像のうち、タッチしたデジタルカメラ１００で表示されている画像と同じ撮影シーン情報を含む画像を一括でサーチすることができる。これにより、同じ撮影シーン情報を含む画像をより容易に発見することができるため、他のユーザとの画像シェアリングがより容易となる。また、同じ撮影シーンの画像を集めた画像編集をより容易に行うことができる。
【００８４】
なお、上記の説明において、属性情報として地理的位置情報や撮影シーン情報を用いる場合、デジタルカメラ１００の液晶モニタ１３０で表示させた画像の属性情報が、スマートフォン２００に読み取らせる属性情報としたが、これに限定されない。例えば、デジタルカメラ１００にてマニュアル入力した撮影シーン情報を、スマートフォン２００に読み取らせてもよい。或いは、デジタルカメラ１００に搭載されたＧＰＳが示す現在の位置情報を、スマートフォンに読み取らせてもよい。この場合は、デジタルカメラはＧＰＳが起動していれば充分であり、画像表示動作を必ずしも行わなくてよい。
【００８５】
〔実施の形態３〕
実施の形態３にかかるスマートフォン２００は、デジタルカメラ１００から読み取った特定画像に関連した情報である参考情報を、スマートフォン２００の液晶モニタ１３０に表示する。このため、実施の形態３にかかるスマートフォン２００は、デジタルカメラ１００から読み取った特定画像の属性情報に基づいて、スマートフォン２００の液晶モニタ１３０に表示する参考情報を決定する。スマートフォン２００は、参考情報の決定にあたって、図１８に示すように、デジタルカメラ１００から読み取った特定画像の属性情報をクラウドサーバ３００に通知する。クラウドサーバ３００は、通知された属性情報を受けて、スマートフォン２００に参考情報を送信する。このようにして、スマートフォン２００は、フラッシュメモリ２４５内に記録された画像のうち、タッチしたデジタルカメラ１００に表示されていた画像の属性情報に対応した参考情報を容易に取得することができる。よって、ユーザは、タッチしたデジタルカメラ１００で表示されている画像の属性情報に対応する参考情報を、容易に参照することができる。
【００８６】
実施の形態３にかかるデジタルカメラ１００およびスマートフォン２００の構成については、実施の形態１において説明したデジタルカメラ１００および、スマートフォン２００の構成と同様であるため、詳細説明は省略する。
【００８７】
図１８を用いて、クラウドサーバ３００の構成を説明する。
【００８８】
クラウドサーバ３００は、コンピュータネットワーク上に存在するホストコンピュータであり、スマートフォン２００などクライアント端末からの要求に対応するサービスを提供する。クラウドサーバ３００は、ＨＤＤ（Ｈａｒｄ Ｄｉｓｋ Ｄｒｉｖｅ）３０５、コントローラ３１０、ＷｉＦｉモジュール３１５などを備える。ＨＤＤ３０５は大容量の記録媒体である。ＨＤＤ３０５は画像データなどの各種データを記録する。コントローラ３１０は、クラウドサーバ３００を統括制御する。また、コントローラ３１０は、ＷｉＦｉモジュール３１５を介して取得したクライアントコンピュータからの各種要求を処理する。
【００８９】
ＷｉＦｉモジュール３１５は、通信規格ＩＥＥＥ８０２．１１に準拠した通信を行う通信モジュールである。クラウドサーバ３００は、ＷｉＦｉモジュール３１５を介して、ＷｉＦｉモジュールを搭載したクライアントコンピュータと通信することができる。なお、クラウドサーバ３００の通信手段はＷｉＦｉモジュール等の無線の通信手段に限定されず、有線の通信手段であってもよい。但し、有線の通信手段とする場合、ＷｉＦｉモジュールを搭載したスマートフォン２００Ａ或いはスマートフォン２００Ｂと通信するときは、無線から有線へと通信手段を切り替えるルータ等の中継装置を要することは言うまでもない。
【００９０】
（１）参考情報が地図画像である場合
図１９は、本システムにおける、参考情報として地図画像を取得する場合の動作を示すフローチャートである。デジタルカメラ１００のユーザは、メモリカード１４５に記録された画像データのうち、地図画像を取得したい画像データを選択して、当該画像データが示す画像を液晶モニタ１３０に表示させる。すなわち、デジタルカメラのコントローラ１３５は、ユーザにより選択された画像を液晶モニタ１３０に表示させる（Ｓ１１００）。
【００９１】
一方、ユーザは、スマートフォン２００のタッチパネル２１０を操作して、アプリケーションソフトを起動させる。すなわち、スマートフォン２００のコントローラ２２５は、ユーザ操作にしたがいアプリケーションソフトを起動する（Ｓ１１１０）。本アプリケーションソフトは、スマートフォン２００がデジタルカメラ１００から読み取った画像データの位置情報に基づいて、サーバ３００から地図画像を取得するためのアプリケーションソフトである。本アプリケーションソフトを起動させることにより、スマートフォン２００がデジタルカメラ１００から位置情報を読み取る準備が整う。
【００９２】
続いて、ユーザは、デジタルカメラ１００と、スマートフォン２００とをタッチさせる（Ｓ１１２０）。このタッチ動作により、スマートフォン２００のＮＦＣリーダライタ２４０は、デジタルカメラ１００のＮＦＣタグ１６０から、デジタルカメラ１００が液晶モニタ１３０に表示させている画像データが撮影された地理的位置を示す位置情報を読み取る（Ｓ１１３０）。
【００９３】
スマートフォン２００のコントローラ２２５は、ＷｉＦｉモジュール２３５およびＷｉＦｉモジュール３１５を介して、クラウドサーバ３００のコントローラ３１０に、デジタルカメラ１００から読み取った位置情報を通知する（Ｓ１１４０）。クラウドサーバ３００のＨＤＤ３０５には、世界各国及び各国の各地域の地図画像が、地理的位置に関する情報と関連付けられて記録されている。クラウドサーバ３００のコントローラ３１０は、通知された位置情報が示す地理的位置に対応する地図画像を、ＨＤＤ３０５に記録された地図画像の中から特定する（Ｓ１１５０）。
【００９４】
クラウドサーバ３００のコントローラ３１０は、特定した地図画像を、ＷｉＦｉモジュール３１５およびＷｉＦｉモジュール２３５を介して、スマートフォン２００のコントローラ２２５に転送する（Ｓ１１６０）。スマートフォン２００のコントローラ２２５は、受信した地図画像を液晶モニタ２１５に表示させる（Ｓ１１７０）。
【００９５】
以上により、スマートフォン２００は、タッチしたデジタルカメラ１００の液晶モニタ１３０で表示されている画像の位置情報が示す位置に関する地図画像を、容易に取得することができる。これにより、画像を撮影した場所をより容易に把握することができる。
【００９６】
（２）参考情報がランドマーク情報である場合
図２０は、参考情報としてランドマーク情報を取得する場合の動作フローチャートである。デジタルカメラ１００のユーザは、メモリカード１４５に記録された画像データのうち、ランドマーク情報を取得したい画像データを選択して、当該画像データが示す画像を液晶モニタ１３０に表示させる。すなわち、デジタルカメラのコントローラ１３５は、ユーザにより選択された画像を液晶モニタ１３０に表示させる（Ｓ１２００）。
【００９７】
一方、ユーザは、スマートフォン２００のタッチパネル２１０を操作して、アプリケーションソフトを起動させる。すなわち、スマートフォン２００のコントローラ２２５は、ユーザ操作にしたがいアプリケーションソフトを起動する（Ｓ１２１０）。本アプリケーションソフトは、スマートフォン２００がデジタルカメラ１００から読み取った画像データの位置情報に基づいて、サーバ３００からランドマーク情報を取得するためのアプリケーションソフトである。本アプリケーションソフトを起動させることにより、スマートフォン２００がデジタルカメラ１００から位置情報を読み取る準備が整う。
【００９８】
続いて、ユーザは、デジタルカメラ１００と、スマートフォン２００とをタッチさせる（Ｓ１２２０）。このタッチ動作により、スマートフォン２００のＮＦＣリーダライタ２４０は、デジタルカメラ１００のＮＦＣタグ１６０から、デジタルカメラ１００が液晶モニタ１３０に表示させている画像データが撮影された地理的位置を示す位置情報を読み取る（Ｓ１２３０）。
【００９９】
スマートフォン２００のコントローラ２２５は、ＷｉＦｉモジュール２３５およびＷｉＦｉモジュール３１５を介して、クラウドサーバ３００のコントローラ３１０に、デジタルカメラ１００から読み取った位置情報を通知する（Ｓ１２４０）。クラウドサーバ３００のＨＤＤ３０５は、図２１（Ａ）に示すように、地理的位置とランドマーク情報との対応表を格納している。クラウドサーバ３００のコントローラ３１０は、図２１（Ａ）に示す対応表を参照することにより、通知された位置情報に対応するランドマーク情報を特定する（Ｓ１２５０）。
【０１００】
クラウドサーバ３００のコントローラ３１０は、特定したランドマーク情報を、ＷｉＦｉモジュール３１５およびＷｉＦｉモジュール２３５を介して、スマートフォン２００のコントローラ２２５に転送する（Ｓ１２６０）。スマートフォン２００のコントローラ２２５は、ランドマーク情報を受けて、デジタルカメラ１００に対して、液晶モニタ１３０に表示された画像の取得を要求する（Ｓ１２７０）。デジタルカメラ１００のコントローラ１３５は、スマートフォン２００からの画像取得要求を受けて、スマートフォン２００に対して、液晶モニタ１３０に表示されている画像を転送する（Ｓ１２８０）。
【０１０１】
スマートフォン２００のコントローラ２２５は、デジタルカメラ１００から受信した画像およびクラウドサーバ３００から受信したランドマーク情報を重畳させて液晶モニタ２１５に表示させる（Ｓ１２９０）。図２１（Ｂ）は、デジタルカメラ１００から受信した画像および、クラウドサーバ３００から受信したランドマーク情報を重畳させた画像の例を示す。
【０１０２】
これにより、スマートフォン２００は、タッチしたデジタルカメラ１００で表示されている画像の位置情報に対応したランドマーク情報を容易に取得することができる。これにより、画像を撮影した場所に関するランドマーク情報をより容易に把握することができる。
【０１０３】
（３）参考情報がＷｅｂページである場合
図２２は、参考情報としてＷｅｂページを取得する場合の動作フローチャートである。図２２に示すステップＳ１３００からステップＳ１３４０の動作は、図１９に示すステップＳ１１００からステップＳ１１４０の動作と同様である。クラウドサーバ３００は、スマートフォン２００から画像の位置情報を受信すると、受信した位置情報に対応するＷｅｂページを特定する（Ｓ１３５０）。その後、クラウドサーバ３００のコントローラ３１０は、特定したＷｅｂページのデータを、ＷｉＦｉモジュール３１５およびＷｉＦｉモジュール２３５を介して、スマートフォン２００のコントローラ２２５に転送する（Ｓ１３６０）。スマートフォン２００のコントローラ２２５は、受信したＷｅｂページを液晶モニタ２１５に表示させる（Ｓ１３７０）。
【０１０４】
これにより、スマートフォン２００は、タッチしたデジタルカメラ１００で表示されている画像の位置情報に対応したＷｅｂページを容易に表示することができる。
【０１０５】
以上のように、本実施形態のスマートフォン２００は、液晶モニタ２１５と、デジタルカメラ１００から特定コンテンツの属性情報を読み取るＮＦＣリーダライタ２４０と、ＮＦＣリーダライタ２４０により読み取った属性情報に関連する情報である参考情報を液晶モニタ２１５に表示させるコントローラ２２５とを備える。この構成により、液晶モニタ２１５に表示させる画像（コンテンツ）に関連した参考情報をもユーザに提示することが可能となり、ユーザの利便性を向上できる。
【０１０６】
なお、上記実施の形態３において、デジタルカメラ１００で表示させた画像の情報は、スマートフォン２００に読み取らせる情報としたが、これに限定されない。例えば、デジタルカメラ１００にてマニュアル入力した情報を、スマートフォン２００に読み取らせてもよい。或いは、デジタルカメラ１００に搭載されたＧＰＳが示す現在の位置情報を、スマートフォン２００に読み取らせてもよい。この場合は、デジタルカメラ１００はＧＰＳが起動していれば充分であり、画像表示動作を必ずしも行わなくてよい。
【０１０７】
また、上記実施の形態３において、参考情報をクラウドサーバ３００から取得する例を説明したが、これに限定されない。スマートフォン２００内に参考情報を提供するためのデータベースを用意することができるのであれば、クラウドサーバ３００を用いなくてもよい。
【０１０８】
〔他の実施の形態〕
本開示は、上記実施の形態に限定されず、種々の実施形態が考えられる。以下、他の実施の形態についてまとめて記載する。
【０１０９】
上記実施の形態において、スマートフォン２００による、デジタルカメラ１００の情報の読み取りを、ＷｉＦｉ接続確立後のタッチ動作のときに行うようにしたが、これに限定されない。すなわち、スマートフォン２００による、デジタルカメラ１００の情報の読み取りを、ＷｉＦｉ接続確立のための接続情報通知のときに行ってもよい。
【０１１０】
上記実施の形態において、スマートフォン２００のＮＦＣリーダライタ２４０は、デジタルカメラ１００のＮＦＣタグ１６０から、各種情報を読み取る例を説明した。このとき、デジタルカメラ１００のコントローラ１３５は、スマートフォン２００に読み取らせる情報を、ＮＦＣタグ１６０内のメモリに、予め書き込んでおいてもよいし、タッチ動作があったときに初めて書き込んでもよい。
【０１１１】
上記実施の形態においては、画像データを扱う場合について説明したが、本開示はこれに限定されない。音楽などのオーディオデータや、テキストデータに対しても適宜応用可能である。すなわち、実施の形態１に対する例では、録音再生機器を、スマートフォン２００で遠隔操作するような場合に、録音モードか再生モードかによって、スマートフォン２００の液晶モニタ２１５に表示させるユーザインタフェース画面を切り替えるようにしてもよい。実施の形態２に対する例では、録音再生機器で再生中の音楽データと属性情報が対応する音楽ファイルを、スマートフォン２００内のメモリから検索するようにしてもよい。実施の形態３に対する例では、録音再生機器で再生中の音楽データに関する参考情報（アーティスト情報や、歌詞のようなテキスト情報）を、スマートフォン２００の液晶モニタ２１５に表示させるようにしてもよい。
【０１１２】
上記実施の形態では、一例としてデジタルカメラとスマートフォンとの間の画像共有について説明したが、画像共有する機器の組み合わせはこれに限定されない。デジタルカメラ同士の画像共有の場合であっても、スマートフォン同士の画像共有の場合であっても、同じ技術思想が適用可能である。
【０１１３】
上記実施形態では、スマートフォン２００は、画像データを格納する記録媒体としてフラッシュメモリ２４５を備えていた。画像データを格納する記録媒体はこれに限定されない。スマートフォン２００は、フラッシュメモリ２４５に替えて又はそれに加えて、着脱可能なメモリカードに画像データを格納してもよい。
【０１１４】
デジタルカメラ１００のコントローラ１３５及びスマートフォン２００のコントローラ２２５は、例えば、ＣＰＵ，ＭＰＵ，ＦＰＧＡで構成される。
【０１１５】
以上のように、本開示における技術の例示として、実施の形態を説明した。そのために、添付図面および詳細な説明を提供した。
【０１１６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１８】
本開示の技術的思想は、デジタルカメラやスマートフォンへの実施に限定されない。すなわち、本開示の技術的思想は画像を通信可能な通信制御装置であれば、他の機器であっても実施可能である。
【図１】
2014103312.tif 000003
【図２】
2014103312.tif 000004
【図３】
2014103312.tif 000005
【図４】
2014103312.tif 000006
【図５】
2014103312.tif 000007
【図６】
2014103312.tif 000008
【図７】
2014103312.tif 000009
【図８】
2014103312.tif 000010
【図９】
2014103312.tif 000011
【図１０】
2014103312.tif 000012
【図１１】
2014103312.tif 000013
【図１２】
2014103312.tif 000014
【図１３】
2014103312.tif 000015
【図１４】
2014103312.tif 000016
【図１５】
2014103312.tif 000017
【図１６】
2014103312.tif 000018
【図１７】
2014103312.tif 000019
【図１８】
2014103312.tif 000020
【図１９】
2014103312.tif 000021
【図２０】
2014103312.tif 000022
【図２１】
2014103312.tif 000023
【図２２】
2014103312.tif 000024
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
表示部と、
複数の動作モードを有する他の電子機器から、当該他の電子機器の現在の動作モードに関する情報を読み取る通信部と、
前記通信部により読み取った動作モードに関する情報に応じて、前記表示部に表示させるユーザインタフェース画面を選択する制御部と、
を備えた、電子機器。
【請求項２】
前記他の電子機器は、被写体を撮像して画像データを生成する撮像部を備え、さらに前記動作モードとして、前記撮像部による撮像動作を行う撮影モードを有し、
前記制御部は、前記通信部により読み取った動作モードに関する情報が前記撮影モードを示す場合、前記他の電子機器に対して遠隔撮影指示を行うためのユーザインタフェース画面を選択し、前記表示部に表示する、請求項１に記載の電子機器。
【請求項３】
前記他の電子機器は、画像データを記録する記録媒体を装着し、さらに、前記動作モードとして、前記記録媒体に記録された画像データの再生動作を行う再生モードを有し、
前記制御部は、前記通信部により読み取った動作モードに関する情報が前記再生モードを示す場合、前記他の電子機器に対して遠隔再生指示を行うためのユーザインタフェース画面を選択し、前記表示部に表示させる、請求項１に記載の電子機器。
【請求項４】
表示部と、
他の電子機器から、特定コンテンツの属性情報を読み取る通信部と、
前記通信部により読み取った属性情報に関連する属性情報を有するコンテンツデータを所定の記録媒体から読み出し、前記読み出したコンテンツデータに基づく情報を前記表示部に表示させる制御部と、
を備えた電子機器。
【請求項５】
前記他の電子機器は、表示部を備えており、
前記通信部は、前記他の電子機器の表示部に表示されているコンテンツを特定コンテンツとして、当該特定コンテンツの属性情報を読み取る、
請求項４に記載の電子機器。
【請求項６】
前記属性情報は、前記特定コンテンツを固有に識別する識別子であり、
前記制御部は、前記通信部により読み取った識別子と同一の識別子を有するコンテンツデータを前記記録媒体から読み出して、前記読み出したコンテンツデータが示すコンテンツを前記表示部に表示させる、
請求項４又は５に記載の電子機器。
【請求項７】
前記特定コンテンツは、画像であり、
前記属性情報は、前記画像を撮影した日付を示す日付情報、前記画像に含まれる個人を認識するための個人認識情報、前記画像を撮影した地理的位置を示す位置情報、前記画像を撮影した撮影シーンモードに関する情報のうちの少なくともいずれかを含む、
請求項４又は５に記載の電子機器。
【請求項８】
表示部と、
他の電子機器から、特定コンテンツの属性情報を読み取る通信部と、
前記通信部により読み取った属性情報に関連する情報である参考情報を前記表示部に表示させる制御部と、
を備えた電子機器。
【請求項９】
前記他の電子機器は、表示部を備えており、
前記通信部は、前記他の電子機器が前記表示部に表示させたコンテンツを特定コンテンツとして、当該特定コンテンツの属性情報を読み取る、
請求項８に記載の電子機器。
【請求項１０】
前記特定コンテンツは、画像であり、
前記属性情報は、前記画像を撮影した地理的位置を示す位置情報であり、
前記制御部は、前記参考情報として、前記通信部により読み取った位置情報に対応する、地図画像、ランドマーク情報、Ｗｅｂサイトの画面のうちの少なくともいずれかを、前記表示部に表示させる、請求項８又は９に記載の電子機器。
【請求項１１】
電子機器の表示部におけるユーザインタフェース画面の表示方法であって、
複数の動作モードを有する他の電子機器から、当該他の機器の現在の動作モードに関する情報を読み取り、
前記読み取った動作モードに関する情報に応じて、前記表示部に表示させるユーザインタフェース画面を選択する、
ユーザインタフェース画面の表示方法。
【請求項１２】
電子機器における情報の表示方法であって、
所定の記録媒体にコンテンツデータを格納しておき、
通信を介して他の機器から特定コンテンツの属性情報を読み取り、
前記読み取った属性情報に関連する属性情報を有するコンテンツデータを前記所定の記録媒体から読み出し、前記読み出したコンテンツデータに基づく情報を前記電子機器の表示部に表示させる、
情報の表示方法。
【請求項１３】
電子機器における情報の表示方法であって、
通信を介して他の機器から特定コンテンツの属性情報を読み取り、
前記読み取った属性情報に関連する情報である参考情報を前記電子機器の表示部に表示させる、
情報の表示方法。
【手続補正２】
【補正対象書類名】明細書
【補正対象項目名】全文
【補正方法】変更
【補正の内容】
【発明の詳細な説明】
【技術分野】
【０００１】
本開示は、他の機器と通信可能な電子機器に関する。
【背景技術】
【０００２】
近接型通信を行うことができる通信装置が知られている。例えば、特許文献１は、ＮＦＣ（Ｎｅａｒ Ｆｉｅｌｄ Ｃｏｍｍｕｎｉｃａｔｉｏｎ）通信を行う通信インタフェースを備えた通信装置を開示している。
【先行技術文献】
【特許文献】
【０００３】
【特許文献１】特開２００５−４５５５７号公報
【発明の概要】
【発明が解決しようとする課題】
【０００４】
本開示は、利便性のより高い電子制御装置を提供することを目的とする。
【課題を解決するための手段】
【０００５】
本開示の第１の電子機器は、表示部と、複数の動作モードを有する他の電子機器から、当該他の電子機器の現在の動作モードに関する情報を読み取る通信部と、通信部により読み取った動作モードに関する情報に応じて、表示部に表示させるユーザインタフェース画面を選択する制御部と、を備える。
【０００６】
本開示の第２の電子機器は、表示部と、他の電子機器から、特定コンテンツの属性情報を読み取る通信部と、通信部により読み取った属性情報に関連する属性情報を有するコンテンツデータを所定の記録媒体から読み出し、読み出したコンテンツデータに基づく情報を表示部に表示させる制御部と、を備える。
【０００７】
本開示の第３の電子機器は、表示部と、他の電子機器から特定コンテンツの属性情報を読み取る通信部と、通信部により読み取った属性情報に関連する情報である参考情報を表示部に表示させる制御部と、を備える。
【０００８】
本開示の第１の表示方法は、電子機器の表示部におけるユーザインタフェース画面の表示方法である。第１の表示方法は、複数の動作モードを有する他の電子機器から、当該他の電子機器の現在の動作モードに関する情報を読み取り、読み取った動作モードに関する情報に応じて、表示部に表示させるユーザインタフェース画面を切り替える。
【０００９】
本開示の第２の表示方法は、電子機器における情報の表示方法である。第２の表示方法は、電子機器の記録媒体にコンテンツデータを格納しておき、通信を介して他の機器から特定コンテンツの属性情報を読み取り、読み取った属性情報に関連する属性情報を有するコンテンツデータを所定の記録媒体から読み出し、読み出したコンテンツデータに基づく情報を電子機器の表示部に表示させる。
【００１０】
本開示の第３の表示方法は、電子機器における情報の表示方法である。第３の表示方法は、通信を介して他の機器から特定コンテンツの属性情報を読み取り、読み取った属性情報に関連する情報である参考情報を電子機器の表示部に表示させる。
【発明の効果】
【００１１】
本開示によれば、利便性のより高い電子機器を提供することができる。
【図面の簡単な説明】
【００１２】
【図１】デジタルカメラ１００とスマートフォン２００からなるシステム構成図
【図２】デジタルカメラ１００の電気的構成図
【図３】スマートフォン２００の電気的構成図
【図４】デジタルカメラ１００とスマートフォン２００の接続動作に関するシーケンス図
【図５】撮影モード用ユーザインタフェース画面表示動作のフローチャート
【図６】動作モードに対するユーザインタフェース画面データの対応表のイメージ図
【図７】撮影モード用ユーザインタフェース画面のイメージ図
【図８】再生モード用ユーザインタフェース画面表示動作のフローチャート
【図９】一枚再生モード用ユーザインタフェース画面のイメージ図
【図１０】マルチ再生モード用ユーザインタフェース画面のイメージ図
【図１１】属性情報（付属情報）として画像識別子を用いる場合の動作フローチャート
【図１２】スマートフォン２００に特定させる画像を表示させた液晶モニタ１３０のイメージ図
【図１３】属性情報として日付情報を用いる場合の動作フローチャート
【図１４】液晶モニタ２１５上へのマルチ表示のイメージ図
【図１５】属性情報として個人認証情報を用いる場合の動作フローチャート
【図１６】属性情報として撮影した地理的位置を示す位置情報を用いる場合の動作フローチャート
【図１７】属性情報として撮影した撮影シーン情報を用いる場合の動作フローチャート
【図１８】クラウドサーバ３００の電気的構成図
【図１９】参考情報として地図画像を取得する場合の動作フローチャート
【図２０】参考情報としてランドマーク情報を取得する場合の動作フローチャート
【図２１】地理的位置に対するランドマーク情報の対応表のイメージ図
【図２２】参考情報としてＷｅｂページを取得する場合の動作フローチャート
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１４】
〔実施の形態１〕
図１は、本実施の形態１にかかるデジタルカメラ１００とスマートフォン２００からなるシステム構成図である。スマートフォン２００は、ＮＦＣ（Ｎｅａｒ Ｆｉｅｌｄ Ｃｏｍｍｕｎｉｃａｔｉｏｎ）を介した通信動作を経て、デジタルカメラ１００から情報を読み取ることができる。
【００１５】
実施の形態１にかかるスマートフォン２００は、デジタルカメラ１００から撮影モード／再生モードに関する情報を読み取り、スマートフォンの画面を、撮影モード画面／再生モード画面から選択する。これにより、デジタルカメラが撮影モードのときに、スマートフォン側を撮影モードにユーザ自らマニュアルで設定することなく、自動的にスマートフォン側を撮影モードに移行させることができる。
【００１６】
以下、実施の形態１にかかるデジタルカメラ１００およびスマートフォン２００の構成および動作について説明する。
【００１７】
〔１−１．構成〕
以下図を用いて、実施の形態１にかかるデジタルカメラ１００およびスマートフォン２００の構成を説明する。
【００１８】
〔１−１−１．デジタルカメラ１００の構成〕
図２は、デジタルカメラ１００の電気的構成図である。デジタルカメラ１００は、光学系１１０を介して形成された被写体像をＣＭＯＳイメージセンサ１１５で撮像する。ＣＭＯＳイメージセンサ１１５は撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データをカードスロット１４５に装着されたメモリカード１４０に記録する。また、コントローラ１３５は、メモリカード１４０に記録された画像データを、使用者による操作部１５０の操作を受け付けて液晶モニタ１３０上に表示させること（再生）ができる。
【００１９】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００２０】
ＣＭＯＳイメージセンサ１１５は、光学系１１０を介して形成された被写体像を撮像して撮像データを生成する。ＣＭＯＳイメージセンサ１１５は、所定のフレームレート（例えば、３０フレーム／秒）で新しいフレームの画像データを生成する。ＣＭＯＳイメージセンサ１１５における、撮像データの生成タイミングおよび電子シャッタ動作は、コントローラ１３５によって制御される。なお、撮像素子はＣＭＯＳイメージセンサに限定されず、ＣＣＤイメージセンサやＮＭＯＳイメージセンサなど、他のイメージセンサを用いてもよい。
【００２１】
画像処理部１２０は、ＣＭＯＳイメージセンサ１１５から出力された撮像データに対して各種の処理を施して画像データを生成する。また、画像処理部１２０は、メモリカード１４５から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００２２】
液晶モニタ１３０は、デジタルカメラ１００の背面に備わる。液晶モニタ１３０は、画像処理部１２０にて処理された画像データに基づく画像を表示する。なお、表示装置は、液晶モニタに限定されず、有機ＥＬモニタなど、他のモニタを用いてもよい。
【００２３】
コントローラ１３５は、デジタルカメラ１００全体の動作を統括制御する。コントローラ１３５は、ハードワイヤードな電子回路で構成してもよいし、マイクロコンピュータなどで構成してもよい。また、コントローラ１３５は、画像処理部１２０などと共に1つの半導体チップで構成してもよい。また、図示していないが、コントローラ１３５は内部にＲＯＭを有している。ＲＯＭには、他の通信機器とのＷｉＦｉ通信を確立するために必要なＳＳＩＤ（Ｓｅｒｖｉｃｅ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）が記憶されている。コントローラ１３５は、必要に応じて、ＲＯＭからＳＳＩＤ、ＷＥＰキーを読み出すことができる。また、ＲＯＭには、オートフォーカス制御（ＡＦ制御）や、通信制御に関するプログラムの他、デジタルカメラ１００全体の動作を統括制御するためのプログラムが記憶されている。
【００２４】
バッファメモリ１２５は、画像処理部１２０やコントローラ１３５のワークメモリとして機能する記憶媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２５】
カードスロット１４０は、メモリカード１４５を着脱可能な接続手段である。カードスロット１４０は、メモリカード１４５を電気的及び機械的に接続可能である。メモリカード１４５は、内部にフラッシュメモリ等の記録素子を備えた外部メモリである。メモリカード１４５は、画像処理部１２０で生成される画像データなどのデータを格納できる。
【００２６】
操作部１５０は、デジタルカメラ１００の外装に備わっている操作釦や操作レバー等のハードキーの総称であり、使用者による操作を受け付ける。操作部１５０は使用者による操作を受け付けると、コントローラ１３５に種々の動作指示信号を通知する。
【００２７】
ＷｉＦｉモジュール１５５は、通信規格ＩＥＥＥ８０２．１１に準拠した通信を行う通信モジュールである。デジタルカメラ１００は、ＷｉＦｉモジュール１５５を介して、ＷｉＦｉモジュールを搭載した他の通信機器と通信することができる。デジタルカメラ１００は、ＷｉＦｉモジュール１５５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールを使用しても構わない。すなわち、通信モジュールとして、比較的通信ビットレートが高く、通信エリアが数メートル以上である通信が可能な通信モジュールを使用すればよい。
【００２８】
ＮＦＣタグ１６０は、ＮＦＣ規格に準拠した通信を行う通信タグである。デジタルカメラ１００は、ＮＦＣタグ１６０を介して、ＮＦＣリーダライタを搭載した他の通信機器と通信し、当該ＮＦＣリーダライタからのデータの読み取りおよび書き込みに応じる。ＮＦＣタグ１６０は、アンテナ、メモリ、ロジック回路を備えている。ＮＦＣタグ１６０のアンテナは、ＮＦＣ規格に準拠した信号を送受信する。ＮＦＣタグ１６０のメモリは、ＮＦＣリーダライタに読み取らせる情報を格納する。また、ＮＦＣタグ１６０のメモリは、ＮＦＣリーダライタによって情報が書き込まれる。ＮＦＣタグ１６０のロジック回路は、アンテナが受信した信号を復調してコントローラ１３５に伝送したり、コントローラ１３５やＮＦＣタグ１６０のメモリから伝送された信号を変調したりする。ＮＦＣタグ１６０は、デジタルカメラ１００の内部から電力供給されていない状態であっても、ＮＦＣタグ１６０に近接したＮＦＣリーダライタからの電磁誘導により電力が供給され動作することができる。
【００２９】
ＮＦＣ規格に準拠した通信の通信エリアは、数センチ程度である。ＮＦＣタグ１６０を介した通信のためには、デジタルカメラ１００のユーザは、ＮＦＣリーダライタを搭載した他の通信機器が、デジタルカメラ１００から数センチ程度の距離内に入るよう、デジタルカメラ１００を他の通信機器に近接させる必要がある。なお、ＮＦＣタグ１６０に換えて、他の近接場型の無線通信を行う通信手段を用いてもよい。
【００３０】
〔１−１−２．スマートフォン２００の構成〕
図３は、スマートフォン２００の電気的構成図である。スマートフォン２００は、画像処理部２０５にて生成された画像データが示す画像を液晶モニタ２１５に表示することができる。液晶モニタ２１５の表面にはタッチパネル２１０が配置されており、ユーザによるタッチ操作を受け付けることができる。また、スマートフォン２００は操作部２３０を有し、操作部２３０上でタッチパネル２１０による操作以外の操作を行うことができる。コントローラ２２５は、ＷｉＦｉモジュール２３５、ＮＦＣリーダライタ２４０を介して、他の通信機器と通信することができる。
【００３１】
画像処理部２０５は、メモリカード１４５から読み出した画像データに各種の処理を施して、液晶モニタ２１５に表示するための画像を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００３２】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００３３】
液晶モニタ２１５は、コントローラ２２５から指示された画面を表示する表示デバイスである。
【００３４】
バッファメモリ２２０は、コントローラ２２５が各種処理動作を実行するために必要な情報を一時的に格納するメモリである。
【００３５】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、ＷｉＦｉモジュール２３５及びＮＦＣリーダライタ２４０に電気的に接続されている。
【００３６】
ＷｉＦｉモジュール２３５は、通信規格ＩＥＥＥ８０２．１１に準拠した通信を行う通信モジュールである。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールを使用しても構わない。すなわち、通信モジュールとして、比較的通信ビットレートが高く、通信エリアが数メートル以上である通信が可能な通信モジュールを使用すればよい。
【００３７】
ＮＦＣリーダライタ２４０は、ＮＦＣ規格に準拠した通信を行う通信リーダである。スマートフォン２００は、ＮＦＣリーダライタ２４０を介して、ＮＦＣリーダライタを搭載した他の通信機器や、ＮＦＣタグを搭載した他の通信機器と通信し、ＮＦＣタグのデータの読み取りおよび書き込みを行うことができる。ＮＦＣリーダライタ２４０は、アンテナ、メモリ、ロジック回路を備えている。ＮＦＣリーダライタ２４０のアンテナは、ＮＦＣ規格に準拠した信号を送受信する。ＮＦＣリーダライタ２４０のメモリは、ＮＦＣタグに書き込む情報を格納する。また、ＮＦＣリーダライタ２４０のメモリは、ＮＦＣタグから読み取った情報を格納する。ＮＦＣリーダライタ２４０のロジック回路は、アンテナが受信した信号を復調してコントローラ２２５に伝送したり、コントローラ２２５やＮＦＣリーダライタ２４０のメモリから伝送された信号を変調したりする。ＮＦＣリーダライタ２４０は、近接させたＮＦＣタグが電力供給されていない状態であっても、近接させたＮＦＣタグに電磁誘導により電力を供給し、情報を書き込んだり、読み取ったりすることができる。なお、ＮＦＣリーダライタに換えて、他の近接場型の無線通信を行う通信手段を用いてもよい。
【００３８】
フラッシュメモリ（以下単に「メモリ」という。）２４５は、スマートフォン２００で撮影した画像データ及びデジタルカメラ１００から転送された画像データ等を格納する。
【００３９】
なお、スマートフォン２００は、電話機能や、インターネット通信機能や、カメラ機能を備えていてもよい。
【００４０】
〔１−２．動作〕
実施の形態１にかかるデジタルカメラ１００とスマートフォン２００間の通信動作を説明する。以下の説明では、デジタルカメラ１００のＮＦＣタグ１６０と、スマートフォン２００のＮＦＣリーダライタ２４０とを、ＮＦＣ規格に準拠した通信の通信距離範囲内に近づけるユーザの動作を、「タッチ動作」と称する。タッチ動作においては、スマートフォン２００（すなわち、ＮＦＣリーダライタ２４０）を、デジタルカメラ１００（すなわち、ＮＦＣタグ１６０）に近づけてもよいし、または、その逆でもよい。
【００４１】
〔１−２−１．ＷｉＦｉ通信確立〕
最初に、図４を用いて、デジタルカメラ１００と、スマートフォン２００とのＷｉＦｉ通信確立にかかる動作について説明する。図４は、デジタルカメラ１００とスマートフォン２００の接続動作に関するシーケンス図である。
【００４２】
スマートフォン２００がデジタルカメラ１００にタッチされると（Ｓ３１０）、スマートフォン２００のコントローラ２２５は、ＮＦＣタグ１６０およびＮＦＣリーダライタ２４０を介して、デジタルカメラ１００のコントローラ１３５から、デジタルカメラ１００と接続するために必要な接続情報（ＳＳＩＤ、ＷＥＰキー）を読み取る（Ｓ３１０）。接続情報を読み取ると、スマートフォン２００のコントローラ２２５は、読み取った接続情報を自機に設定する（Ｓ３２０）。これにより、スマートフォン２００のコントローラ２２５は、通信すべき相手であるデジタルカメラ１００のＷｉＦｉモジュール１５５の特定と、特定したデジタルカメラ１００のＷｉＦｉモジュール１５５と通信するための暗号を解除することができる。これにより、スマートフォン２００のＷｉＦＩモジュール２３５と、デジタルカメラ１００のＷｉＦｉモジュール１５５は、ＷｉＦｉ通信を確立することができる（Ｓ３３０）。
【００４３】
以上のようにしてＷｉＦｉ通信の確立後、スマートフォン２００において所定のアプリケーションが起動されている状態で、デジタルカメラ１００にスマートフォン２００をタッチさせると、スマートフォン２００からデジタルカメラ１００に対する遠隔操作が可能となる。このとき、スマートフォン２００において表示される、遠隔操作のためのユーザインタフェース画面は、デジタルカメラ１００の動作モードに応じて選択される。以下、スマートフォン２００におけるユーザインタフェース画面の表示動作について説明する。
【００４４】
〔１−２−２．撮影モード用ユーザインタフェース画面の表示〕
図５は、実施の形態１にかかる、スマートフォン２００での撮影モード用ユーザインタフェース画面表示動作のフローチャートである。図５を用いて、スマートフォン２００が、デジタルカメラ１００から読み取った動作モード設定に関する情報に応じて、ユーザインタフェース画面を選択して表示する動作について説明する。なお、本画面表示動作の前に図４で説明したＷｉＦｉ通信確立は完了しているものとする。
【００４５】
まず、ユーザは、デジタルカメラ１００の電源をＯＮにした後、デジタルカメラ１００のモードダイアルを操作して、デジタルカメラ１００を撮影モードに設定する（Ｓ４００）。撮影モードに設定されると、デジタルカメラ１００は、光学系１１０を介して形成された被写体像をＣＭＯＳイメージセンサ１１５で撮像して、撮像データ生成を開始する。画像処理部１２０は、撮像データに対して各種の処理を施し、画像データを生成する。液晶モニタ１３０は、逐次生成される画像データに基づくスルー画像を表示する。
【００４６】
また、ユーザは、スマートフォン２００のタッチパネル２１０を操作して、アプリケーションソフトを起動させる。すなわち、スマートフォン２００のコントローラ２２５は、ユーザ操作にしたがいアプリケーションソフトを起動する（Ｓ４１０）。本アプリケーションソフトは、スマートフォン２００でのデジタルカメラ１００の遠隔操作を可能とするためのアプリケーションソフトである。本アプリケーションソフトを起動させることにより、スマートフォン２００がデジタルカメラ１００を遠隔操作するための準備が整う。
【００４７】
続いて、ユーザは、デジタルカメラ１００とスマートフォン２００とをタッチさせる（Ｓ４２０）。このタッチ動作により、スマートフォン２００のＮＦＣリーダライタ２４０は、デジタルカメラ１００のＮＦＣタグ１６０から、デジタルカメラ１００の動作モードに関する設定情報を読み取る。デジタルカメラ１００は、撮影モードに設定されているため、スマートフォン２００のＮＦＣリーダライタ２４０は、デジタルカメラ１００のＮＦＣタグ１６０から、設定が撮影モードである旨を示す設定情報を読み取る（Ｓ４３０）。
【００４８】
続いて、デジタルカメラ１００のコントローラ１３５は、ＷｉＦｉモジュール１５５およびＷｉＦｉモジュール２３５を介して、スマートフォン２００に対して、ＣＭＯＳイメージセンサ１１５により逐次生成される画像データに基づくスルー画像（撮影画像）を転送する（Ｓ４４０）。
【００４９】
続いて、スマートフォン２００のコントローラ２２５は、ステップＳ４３０で読み取った、撮影モードであることを示す設定情報を受けて、スマートフォン２００内のメモリから、撮影モード用ユーザインタフェース（ＵＩ）画面データを読み出す。スマートフォン２００は、図６に示すような、動作モードと、それに対するユーザインタフェース画面データとの対応表を所持している。スマートフォン２００のコントローラ２２５は、図６に示す対応表を参照することにより、デジタルカメラ１００の動作モードに対応するユーザインタフェース画面データを選択することができる。
【００５０】
スマートフォン２００のコントローラ２２５は、ステップＳ４４０にて取得したスルー画像（撮影画像）に、撮影モード用ユーザインタフェース画面データが示す画像を重畳させて、液晶モニタ２１５に表示させる（Ｓ４５０）。
【００５１】
図７は、撮影モード用ユーザインタフェース画面を説明した図である。スマートフォン２００の液晶モニタ２１５は、図７に示すような、撮影モード用ユーザインタフェース画面を表示する。撮影モード用ユーザインタフェース画面は、図７に示すように、表示領域２０００と、動作指示ボタン２０１０とを備える。表示領域２０００は、ステップＳ４４０にてデジタルカメラ１００から取得したスルー画像（撮影画像）を表示する領域である。動作指示ボタン２０１０は、デジタルカメラ１００に対する動作指示を行うためのボタンである。ユーザは、タッチパネル２１０を操作して、液晶モニタ２１５に表示された動作指示ボタン２０１０のいずれかを操作する。スマートフォン２００のコントローラ２２５は、この操作を受けて、ＷｉＦｉモジュール２３５およびＷｉＦｉモジュール１５５を介して、デジタルカメラ１００に対して動作指示を送信する。
【００５２】
デジタルカメラ１００のコントローラ１３５は、スマートフォン２００からの動作指示を受けて、撮影条件を変更する。そして、デジタルカメラ１００のコントローラ１３５は、ＷｉＦｉモジュール１５５およびＷｉＦｉモジュール２３５を介して、変更後の撮影条件に基づき撮影されたスルー画像（撮影画像）を、スマートフォン２００に転送する。
【００５３】
以上のように、デジタルカメラ１００の設定（撮影モード）を示す設定情報を読み取ったとき、スマートフォン２００は、当該設定情報に対応する撮影モード用ユーザインタフェース画面を選択する。これにより、デジタルカメラが撮影モードのときに、ユーザがマニュアルで設定することなく、自動的にスマートフォンを撮影モードに移行させることができる。
【００５４】
〔１−２−３．再生モード用ユーザインタフェース画面の表示〕
図８は、実施の形態１にかかる、スマートフォン２００における再生モード用ユーザインタフェース画面の表示動作を示すフローチャートである。スマートフォン２００は、デジタルカメラ１００から読み取った、再生モード設定に関する情報に応じて、再生モード用ユーザインタフェース画面を表示する。なお、図８に示す動作の前において、図４で説明したＷｉＦｉ通信確立が完了しているものとする。
【００５５】
図８におけるステップＳ５００からステップＳ５５０までの再生モードについての動作は、下記の点以外は、基本的に図６におけるステップＳ４００からステップＳ４５０までの撮影モードについての動作と同様である。
（１）デジタルカメラ１００の現在の設定が“再生モード”であり、設定情報が再生モードを示す。
（２）デジタルカメラ１００に装着されたメモリカードに記録された画像データをスマートフォン２００に転送する。
（３）ステップＳ５３０で読み取った設定情報を受けて、再生モード用ユーザインタフェース画面を表示する。
【００５６】
図９及び図１０に、再生モード用ユーザインタフェース画面の例を示す。図９は、一枚再生モード用ユーザインタフェース画面を示す図である。図１０は、マルチ再生モード用ユーザインタフェース画面を示す図である。一枚再生モードとは、一枚の画像のみを表示する再生モードである。マルチ再生モードとは、同時に複数枚の画像を表示する再生モードである。ステップＳ５３０で取得した設定情報に基づき、デジタルカメラ１００の現在の設定が一枚再生モードであるかマルチ再生モードであるかに応じて、スマートフォン２００は、対応する再生モード用ユーザインタフェースを表示する。
【００５７】
以上のように、実施の形態１にかかるスマートフォン２００は、液晶モニタ１３０と、複数の動作モードを有するデジタルカメラ１００からその現在の動作モードに関する情報を読み取るＮＦＣリーダライタ２４０と、ＮＦＣリーダライタ２４０により読み取った動作モードに関する情報に応じて、液晶モニタ１３０に表示させるユーザインタフェース画面を切り替えるコントローラ２２５と、を備える。
【００５８】
すなわち、スマートフォン２００は、デジタルカメラ１００から動作モード（撮影モード／再生モード）に関する情報を読み取り、その読み取った情報に基づき、スマートフォン２００の液晶モニタ２１５に表示させる画面を、撮影モード用画面または再生モード用画面に決定する。このとき、デジタルカメラ１００の現在のモード設定に関する情報（撮影モード／再生モードに関する情報）が、スマートフォン２００に読み取らせる撮影モード／再生モードに関する情報となる。
【００５９】
これにより、デジタルカメラ１００が撮影モードのときに、スマートフォン２００を撮影モードにマニュアルで設定することなく、自動的にスマートフォン２００を撮影モードに移行させることができる。これにより、ユーザは、スマートフォン２００を容易に撮影モードに設定することができ、その上、スマートフォン２００によるデジタルカメラ１００の遠隔撮影操作をより容易に行うことができる。
【００６０】
〔実施の形態２〕
実施の形態２にかかるスマートフォン２００は、デジタルカメラ１００から読み取った特定画像の属性情報（付属情報）に基づいて、スマートフォン２００のフラッシュメモリ２４５内に記録された画像の中から属性情報に関連する画像を抽出する。そして、スマートフォン２００は、抽出した画像の結果を液晶モニタ１３０に表示する。これにより、スマートフォン２００のフラッシュメモリ２４５内に記録された画像のうち、タッチしたデジタルカメラ１００で表示されている画像と関連性の高い画像を即座に発見することができる。
【００６１】
実施の形態２にかかるデジタルカメラ１００およびスマートフォン２００の構成については、実施の形態１において説明したデジタルカメラ１００およびスマートフォン２００の構成と同様であるため、詳細説明は省略する。そして、実施の形態１と同一の構成要素は同一の符号を付して説明する（以後の実施形態においても同様）。
【００６２】
以下、実施の形態２にかかるデジタルカメラ１００およびスマートフォン２００の動作について説明する。
【００６３】
（１）属性情報として画像識別子を用いる場合
図１１は、属性情報として画像識別子を用いる場合の動作フローチャートである。デジタルカメラ１００のユーザは、メモリカード１４５に記録された画像データのうち、スマートフォン２００内のメモリから検索したい画像データを選択して、当該画像データが示す画像を液晶モニタ１３０に表示させる。すなわち、スマートフォン２００のコントローラ２２５は、ユーザにより選択された画像を液晶モニタ１３０に表示する（Ｓ６００）。
【００６４】
図１２は、デジタルカメラ１００の液晶モニタ１３０において、スマートフォン２００に画像を特定させるために用いる画像を表示させた状態を示す図である。液晶モニタ１３０に、スマートフォン２００に特定させる画像を表示させることで、ユーザが特定したい画像を視覚的に把握することができる。
【００６５】
一方、ユーザは、スマートフォン２００のタッチパネル２１０を操作して、アプリケーションソフトを起動させる（Ｓ６１０）。すなわち、スマートフォン２００のコントローラ２２５は、ユーザ操作にしたがいアプリケーションソフトを起動する。本アプリケーションソフトは、スマートフォン２００がデジタルカメラ１００から読み取った属性情報に基づいて、スマートフォン２００内のフラッシュメモリ２４５に記録された画像を検索するためのアプリケーションソフト（以下「画像検索アプリケーション」と称す。）である。画像検索アプリケーションソフトを起動させることにより、スマートフォン２００がデジタルカメラ１００から属性情報を読み取る準備が整う。
【００６６】
続いて、ユーザは、デジタルカメラ１００とスマートフォン２００とをタッチさせる（Ｓ６２０）。このタッチ動作により、スマートフォン２００のＮＦＣリーダライタ２４０は、デジタルカメラ１００のＮＦＣタグ１６０から、デジタルカメラ１００の液晶モニタ１３０に表示されている画像データの属性情報として、当該画像データを識別するための画像識別子を読み取る（Ｓ６３０）。画像識別子は、画像データが撮影により生成されたときに、当該画像データに固有に付与される識別子である。画像識別子は、画像データが他の記録媒体にコピーされたりムーブされたりしても変更されない。
【００６７】
スマートフォン２００のコントローラ２２５は、フラッシュメモリ２４５に記録された画像データのヘッダ情報を参照して、ステップＳ６３０にて読み取った画像識別子と同一の画像識別子を有する画像がフラッシュメモリ２４５に存在しているか否かを調べる。ステップＳ６３０にて読み取った画像識別子と同一の画像識別子を有する画像がフラッシュメモリ２４５に存在した場合、コントローラ２２５は、その画像を特定する（Ｓ６４０）。そして、スマートフォン２００のコントローラ２２５は、特定した画像を、スマートフォン２００の液晶モニタ２１５に表示する（Ｓ６５０）。
【００６８】
一方、ステップＳ６３０にて読み取った画像識別子と同一画像識別子を有する画像がスマートフォン２００のメモリに記録されていない場合、スマートフォン２００のコントローラ２２５は、存在しない旨を示すメッセージを、液晶モニタ２１５に表示する。
【００６９】
以上のように、スマートフォン２００内に記録された画像のうち、タッチしたデジタルカメラ１００で表示されている画像と同一の画像を即座に発見することができる。これにより、同一の画像をより容易に発見することができる。
【００７０】
上記の説明では、スマートフォン２００内のメモリに記録された画像のうち、タッチしたデジタルカメラ１００で表示されている画像と同一の画像を発見するとしたが、これに限定されない。予め、複数の画像間で関連付けをしておき、スマートフォン２００のフラッシュメモリ２４５に記録された画像のうち、タッチしたデジタルカメラ１００で表示されている画像に関連する画像が表示されるようにしてもよい。この方法により、例えば、撮影画像に関連する広告画像をユーザに提供することができる。
【００７１】
（２）属性情報として日付情報を用いる場合
図１３は、属性情報として日付情報を用いる場合の動作フローチャートである。デジタルカメラ１００のユーザは、メモリカード１４５に記録された画像データのうち、スマートフォン２００のフラッシュメモリ２４５内の画像データから、検索したい日付に撮影された画像データを選択して、当該画像データが示す画像を液晶モニタ１３０に表示させる。すなわち、スマートフォン２００のコントローラ２２５は、ユーザにより選択された画像を液晶モニタ１３０に表示する（Ｓ７００）。
【００７２】
一方、ユーザは、スマートフォン２００のタッチパネル２１０を操作して、画像検索アプリケーションソフトを起動させる（Ｓ７１０）。すなわち、スマートフォン２００のコントローラ２２５は、ユーザ操作にしたがい画像検索アプリケーションソフトを起動する。
【００７３】
続いて、ユーザは、デジタルカメラ１００とスマートフォン２００とをタッチさせる（Ｓ７２０）。このタッチ動作により、スマートフォン２００のＮＦＣリーダライタ２４０は、デジタルカメラ１００のＮＦＣタグ１６０から、デジタルカメラ１００の液晶モニタ１３０に表示されている画像データの属性情報として、当該画像データが撮影された日付の情報を読み取る（Ｓ７３０）。
【００７４】
スマートフォン２００のコントローラ２２５は、スマートフォン２００内のフラッシュメモリ２４５に記録された画像データのヘッダ情報を参照して、ステップＳ７３０にて読み取った日付と同日の日付に撮影された画像がメモリ内に存在するか否かをサーチする（Ｓ７４０）。ステップＳ７３０にて読み取った日付と同日の日付に撮影された画像が存在した場合、スマートフォン２００のコントローラ２２５は、当該画像を、スマートフォン２００の液晶モニタ２１５に表示する（Ｓ７５０）。ステップＳ７３０にて読み取った日付と同日の日付に撮影された画像が複数存在する場合は、図１４に示すように、該当する画像を液晶モニタ２１５にマルチ表示する。
【００７５】
一方、ステップＳ７３０にて読み取った日付と同日の日付で撮影された画像が存在しない場合、スマートフォン２００のコントローラ２２５は、存在しない旨を示すメッセージを、スマートフォン２００の液晶モニタ２１５に表示する。
【００７６】
以上のように、スマートフォン２００内に記録された画像のうち、タッチしたデジタルカメラ１００で表示されている画像と同じ日付の画像を一括でサーチすることができる。これにより、同じ日付の画像をより容易に発見することができるため、他のユーザとの画像シェアリングがより容易となる。また、同じ日付の画像を集めた画像編集がより容易になる。上記では、タッチしたデジタルカメラ１００で表示されている画像と同日の日付の画像を検索するとしたが、ユーザの設定内容に応じて、撮影日付のうち年月または年が同じの画像を検索するようにしてもよい。
【００７７】
（３）属性情報として個人認証情報を用いる場合
図１５は、属性情報として個人認証情報を用いる場合の動作フローチャートである。デジタルカメラ１００の液晶モニタ１３０で表示させた画像に写っている人物の個人認証情報が、スマートフォンに読み取らせる属性情報となる。個人認証情報は例えば顔の特徴を示す情報である。スマートフォン２００のコントローラ２２５は、デジタルカメラ１００から取得した個人認証情報に基づいて、スマートフォン２００のフラッシュメモリ２４５内の画像のうち、当該個人認証情報に対応する画像を、スマートフォン２００の液晶モニタ２１５に表示する。図１５に示すステップＳ８００からステップＳ８５０の動作は、図１３に示すステップＳ７００からステップＳ７５０の動作と同様であるため、詳細説明は割愛する。
【００７８】
以上のように、スマートフォン２００のフラッシュメモリ２４５内に記録された画像のうち、タッチしたデジタルカメラ１００で表示されている画像と同一の個人認証情報を含む画像を一括でサーチすることができる。これにより、同じ個人認証情報を含む画像をより容易に発見することができるため、他のユーザとの画像シェアリングがより容易となる。また、同じ個人が撮影された画像を集めた画像編集をより容易に行うことができる。
【００７９】
（４）属性情報として地理的位置情報を用いる場合
図１６は、属性情報として撮影した地理的位置を示す位置情報を用いる場合の動作フローチャートである。デジタルカメラ１００の液晶モニタ１３０で表示させた画像を撮影した地理的位置を示す位置情報が、スマートフォン２００に読み取らせる属性情報となる。スマートフォン２００は、デジタルカメラ１００から取得した位置情報に基づいて、スマートフォン２００のフラッシュメモリ２４５内の画像のうち、当該位置情報に対応する画像を、スマートフォン２００の画面に表示する。なお、当該位置情報に対応する画像は、その位置情報が示す位置と同じ位置を有する画像及び／またはその位置から所定の範囲内の位置を有する画像を含む。図１６に示すステップＳ９００からステップＳ９５０の動作は、図１３に示すステップＳ７００からステップＳ７５０の動作と同様であるため、詳細説明は割愛する。
【００８０】
以上のように、スマートフォン２００内のフラッシュメモリ２４５に記録された画像のうち、タッチしたデジタルカメラ１００で表示されている画像と同じ位置又はそれに近い位置の位置情報を含む画像を一括でサーチすることができる。これにより、同じ位置又は近い位置の位置情報を含む画像をより容易に発見することができるため、他のユーザとの画像シェアリングがより容易となる。また、同じ撮影位置で撮影された画像を集めた画像編集をより容易に行うことができる。
【００８１】
（５）属性情報として撮影シーン情報を用いる場合
図１７は、属性情報として撮影した撮影シーン情報を用いる場合の動作フローチャートである。デジタルカメラ１００の液晶モニタ１３０で表示させた画像を撮影したときのシーンモードを示す撮影シーン情報が、スマートフォン２００に読み取らせる属性情報となる。撮影シーン情報は、撮影時に用いたシーンモードを示す情報であり、例えば、夕焼け撮影である旨を示す撮影シーン情報や、夜景撮影である旨を示す撮影シーン情報などを含む。スマートフォン２００は、デジタルカメラ１００から取得した撮影シーン情報に基づいて、スマートフォン２００のフラッシュメモリ２４５内の画像のうち、当該撮影シーン情報と同じ撮影シーン情報を有する画像を、スマートフォン２００の画面に表示する。図１７に示すステップＳ１０００からステップＳ１０５０の動作は、図１３に示すステップＳ７００からステップＳ７５０の動作と同様であるため、詳細説明は割愛する。
【００８２】
以上のように、本実施形態のスマートフォン２００は、液晶モニタ２１５と、デジタルカメラ１００から、特定画像（特定コンテンツ）の属性情報を読み取るＮＦＣリーダライタ２４０と、ＮＦＣリーダライタ２４０により読み取った属性情報に関連する属性情報を有する画像データ（コンテンツデータ）をフラッシュメモリ２４５から読み出し、読み出した画像データに基づく画像（情報）を液晶モニタ２１５に表示させるコントローラ２２５と、を備える。
【００８３】
すなわち、スマートフォン２００内のフラッシュメモリ２４５に記録された画像のうち、タッチしたデジタルカメラ１００で表示されている画像と同じ撮影シーン情報を含む画像を一括でサーチすることができる。これにより、同じ撮影シーン情報を含む画像をより容易に発見することができるため、他のユーザとの画像シェアリングがより容易となる。また、同じ撮影シーンの画像を集めた画像編集をより容易に行うことができる。
【００８４】
なお、上記の説明において、属性情報として地理的位置情報や撮影シーン情報を用いる場合、デジタルカメラ１００の液晶モニタ１３０で表示させた画像の属性情報が、スマートフォン２００に読み取らせる属性情報としたが、これに限定されない。例えば、デジタルカメラ１００にてマニュアル入力した撮影シーン情報を、スマートフォン２００に読み取らせてもよい。或いは、デジタルカメラ１００に搭載されたＧＰＳが示す現在の位置情報を、スマートフォンに読み取らせてもよい。この場合は、デジタルカメラはＧＰＳが起動していれば充分であり、画像表示動作を必ずしも行わなくてよい。
【００８５】
〔実施の形態３〕
実施の形態３にかかるスマートフォン２００は、デジタルカメラ１００から読み取った特定画像に関連した情報である参考情報を、スマートフォン２００の液晶モニタ２１５に表示する。このため、実施の形態３にかかるスマートフォン２００は、デジタルカメラ１００から読み取った特定画像の属性情報に基づいて、スマートフォン２００の液晶モニタ１３０に表示する参考情報を決定する。スマートフォン２００は、参考情報の決定にあたって、図１８に示すように、デジタルカメラ１００から読み取った特定画像の属性情報をクラウドサーバ３００に通知する。クラウドサーバ３００は、通知された属性情報を受けて、スマートフォン２００に参考情報を送信する。このようにして、スマートフォン２００は、フラッシュメモリ２４５内に記録された画像のうち、タッチしたデジタルカメラ１００に表示されていた画像の属性情報に対応した参考情報を容易に取得することができる。よって、ユーザは、タッチしたデジタルカメラ１００で表示されている画像の属性情報に対応する参考情報を、容易に参照することができる。
【００８６】
実施の形態３にかかるデジタルカメラ１００およびスマートフォン２００の構成については、実施の形態１において説明したデジタルカメラ１００および、スマートフォン２００の構成と同様であるため、詳細説明は省略する。
【００８７】
図１８を用いて、クラウドサーバ３００の構成を説明する。
【００８８】
クラウドサーバ３００は、コンピュータネットワーク上に存在するホストコンピュータであり、スマートフォン２００などクライアント端末からの要求に対応するサービスを提供する。クラウドサーバ３００は、ＨＤＤ（Ｈａｒｄ Ｄｉｓｋ Ｄｒｉｖｅ）３０５、コントローラ３１０、ＷｉＦｉモジュール３１５などを備える。ＨＤＤ３０５は大容量の記録媒体である。ＨＤＤ３０５は画像データなどの各種データを記録する。コントローラ３１０は、クラウドサーバ３００を統括制御する。また、コントローラ３１０は、ＷｉＦｉモジュール３１５を介して取得したクライアントコンピュータからの各種要求を処理する。
【００８９】
ＷｉＦｉモジュール３１５は、通信規格ＩＥＥＥ８０２．１１に準拠した通信を行う通信モジュールである。クラウドサーバ３００は、ＷｉＦｉモジュール３１５を介して、ＷｉＦｉモジュールを搭載したクライアントコンピュータと通信することができる。なお、クラウドサーバ３００の通信手段はＷｉＦｉモジュール等の無線の通信手段に限定されず、有線の通信手段であってもよい。但し、有線の通信手段とする場合、ＷｉＦｉモジュールを搭載したスマートフォン２００Ａ或いはスマートフォン２００Ｂと通信するときは、無線から有線へと通信手段を切り替えるルータ等の中継装置を要することは言うまでもない。
【００９０】
（１）参考情報が地図画像である場合
図１９は、本システムにおける、参考情報として地図画像を取得する場合の動作を示すフローチャートである。デジタルカメラ１００のユーザは、メモリカード１４５に記録された画像データのうち、地図画像を取得したい画像データを選択して、当該画像データが示す画像を液晶モニタ１３０に表示させる。すなわち、デジタルカメラのコントローラ１３５は、ユーザにより選択された画像を液晶モニタ１３０に表示させる（Ｓ１１００）。
【００９１】
一方、ユーザは、スマートフォン２００のタッチパネル２１０を操作して、アプリケーションソフトを起動させる。すなわち、スマートフォン２００のコントローラ２２５は、ユーザ操作にしたがいアプリケーションソフトを起動する（Ｓ１１１０）。本アプリケーションソフトは、スマートフォン２００がデジタルカメラ１００から読み取った画像データの位置情報に基づいて、サーバ３００から地図画像を取得するためのアプリケーションソフトである。本アプリケーションソフトを起動させることにより、スマートフォン２００がデジタルカメラ１００から位置情報を読み取る準備が整う。
【００９２】
続いて、ユーザは、デジタルカメラ１００と、スマートフォン２００とをタッチさせる（Ｓ１１２０）。このタッチ動作により、スマートフォン２００のＮＦＣリーダライタ２４０は、デジタルカメラ１００のＮＦＣタグ１６０から、デジタルカメラ１００が液晶モニタ１３０に表示させている画像データが撮影された地理的位置を示す位置情報を読み取る（Ｓ１１３０）。
【００９３】
スマートフォン２００のコントローラ２２５は、ＷｉＦｉモジュール２３５およびＷｉＦｉモジュール３１５を介して、クラウドサーバ３００のコントローラ３１０に、デジタルカメラ１００から読み取った位置情報を通知する（Ｓ１１４０）。クラウドサーバ３００のＨＤＤ３０５には、世界各国及び各国の各地域の地図画像が、地理的位置に関する情報と関連付けられて記録されている。クラウドサーバ３００のコントローラ３１０は、通知された位置情報が示す地理的位置に対応する地図画像を、ＨＤＤ３０５に記録された地図画像の中から特定する（Ｓ１１５０）。
【００９４】
クラウドサーバ３００のコントローラ３１０は、特定した地図画像を、ＷｉＦｉモジュール３１５およびＷｉＦｉモジュール２３５を介して、スマートフォン２００のコントローラ２２５に転送する（Ｓ１１６０）。スマートフォン２００のコントローラ２２５は、受信した地図画像を液晶モニタ２１５に表示させる（Ｓ１１７０）。
【００９５】
以上により、スマートフォン２００は、タッチしたデジタルカメラ１００の液晶モニタ１３０で表示されている画像の位置情報が示す位置に関する地図画像を、容易に取得することができる。これにより、画像を撮影した場所をより容易に把握することができる。
【００９６】
（２）参考情報がランドマーク情報である場合
図２０は、参考情報としてランドマーク情報を取得する場合の動作フローチャートである。デジタルカメラ１００のユーザは、メモリカード１４５に記録された画像データのうち、ランドマーク情報を取得したい画像データを選択して、当該画像データが示す画像を液晶モニタ１３０に表示させる。すなわち、デジタルカメラのコントローラ１３５は、ユーザにより選択された画像を液晶モニタ１３０に表示させる（Ｓ１２００）。
【００９７】
一方、ユーザは、スマートフォン２００のタッチパネル２１０を操作して、アプリケーションソフトを起動させる。すなわち、スマートフォン２００のコントローラ２２５は、ユーザ操作にしたがいアプリケーションソフトを起動する（Ｓ１２１０）。本アプリケーションソフトは、スマートフォン２００がデジタルカメラ１００から読み取った画像データの位置情報に基づいて、サーバ３００からランドマーク情報を取得するためのアプリケーションソフトである。本アプリケーションソフトを起動させることにより、スマートフォン２００がデジタルカメラ１００から位置情報を読み取る準備が整う。
【００９８】
続いて、ユーザは、デジタルカメラ１００と、スマートフォン２００とをタッチさせる（Ｓ１２２０）。このタッチ動作により、スマートフォン２００のＮＦＣリーダライタ２４０は、デジタルカメラ１００のＮＦＣタグ１６０から、デジタルカメラ１００が液晶モニタ１３０に表示させている画像データが撮影された地理的位置を示す位置情報を読み取る（Ｓ１２３０）。
【００９９】
スマートフォン２００のコントローラ２２５は、ＷｉＦｉモジュール２３５およびＷｉＦｉモジュール３１５を介して、クラウドサーバ３００のコントローラ３１０に、デジタルカメラ１００から読み取った位置情報を通知する（Ｓ１２４０）。クラウドサーバ３００のＨＤＤ３０５は、図２１（Ａ）に示すように、地理的位置とランドマーク情報との対応表を格納している。クラウドサーバ３００のコントローラ３１０は、図２１（Ａ）に示す対応表を参照することにより、通知された位置情報に対応するランドマーク情報を特定する（Ｓ１２５０）。
【０１００】
クラウドサーバ３００のコントローラ３１０は、特定したランドマーク情報を、ＷｉＦｉモジュール３１５およびＷｉＦｉモジュール２３５を介して、スマートフォン２００のコントローラ２２５に転送する（Ｓ１２６０）。スマートフォン２００のコントローラ２２５は、ランドマーク情報を受けて、デジタルカメラ１００に対して、液晶モニタ１３０に表示された画像の取得を要求する（Ｓ１２７０）。デジタルカメラ１００のコントローラ１３５は、スマートフォン２００からの画像取得要求を受けて、スマートフォン２００に対して、液晶モニタ１３０に表示されている画像を転送する（Ｓ１２８０）。
【０１０１】
スマートフォン２００のコントローラ２２５は、デジタルカメラ１００から受信した画像およびクラウドサーバ３００から受信したランドマーク情報を重畳させて液晶モニタ２１５に表示させる（Ｓ１２９０）。図２１（Ｂ）は、デジタルカメラ１００から受信した画像および、クラウドサーバ３００から受信したランドマーク情報を重畳させた画像の例を示す。
【０１０２】
これにより、スマートフォン２００は、タッチしたデジタルカメラ１００で表示されている画像の位置情報に対応したランドマーク情報を容易に取得することができる。これにより、画像を撮影した場所に関するランドマーク情報をより容易に把握することができる。
【０１０３】
（３）参考情報がＷｅｂページである場合
図２２は、参考情報としてＷｅｂページを取得する場合の動作フローチャートである。図２２に示すステップＳ１３００からステップＳ１３４０の動作は、図１９に示すステップＳ１１００からステップＳ１１４０の動作と同様である。クラウドサーバ３００は、スマートフォン２００から画像の位置情報を受信すると、受信した位置情報に対応するＷｅｂページを特定する（Ｓ１３５０）。その後、クラウドサーバ３００のコントローラ３１０は、特定したＷｅｂページのデータを、ＷｉＦｉモジュール３１５およびＷｉＦｉモジュール２３５を介して、スマートフォン２００のコントローラ２２５に転送する（Ｓ１３６０）。スマートフォン２００のコントローラ２２５は、受信したＷｅｂページを液晶モニタ２１５に表示させる（Ｓ１３７０）。
【０１０４】
これにより、スマートフォン２００は、タッチしたデジタルカメラ１００で表示されている画像の位置情報に対応したＷｅｂページを容易に表示することができる。
【０１０５】
以上のように、本実施形態のスマートフォン２００は、液晶モニタ２１５と、デジタルカメラ１００から特定コンテンツの属性情報を読み取るＮＦＣリーダライタ２４０と、ＮＦＣリーダライタ２４０により読み取った属性情報に関連する情報である参考情報を液晶モニタ２１５に表示させるコントローラ２２５とを備える。この構成により、液晶モニタ２１５に表示させる画像（コンテンツ）に関連した参考情報をもユーザに提示することが可能となり、ユーザの利便性を向上できる。
【０１０６】
なお、上記実施の形態３において、デジタルカメラ１００で表示させた画像の情報を、スマートフォン２００に読み取らせる情報としたが、これに限定されない。例えば、デジタルカメラ１００にてマニュアル入力した情報を、スマートフォン２００に読み取らせてもよい。或いは、デジタルカメラ１００に搭載されたＧＰＳが示す現在の位置情報を、スマートフォン２００に読み取らせてもよい。この場合は、デジタルカメラ１００はＧＰＳが起動していれば充分であり、画像表示動作を必ずしも行わなくてよい。
【０１０７】
また、上記実施の形態３において、参考情報をクラウドサーバ３００から取得する例を説明したが、これに限定されない。スマートフォン２００内に参考情報を提供するためのデータベースを用意することができるのであれば、クラウドサーバ３００を用いなくてもよい。
【０１０８】
〔他の実施の形態〕
本開示は、上記実施の形態に限定されず、種々の実施形態が考えられる。以下、他の実施の形態についてまとめて記載する。
【０１０９】
上記実施の形態において、スマートフォン２００による、デジタルカメラ１００の情報の読み取りを、ＷｉＦｉ接続確立後のタッチ動作のときに行うようにしたが、これに限定されない。すなわち、スマートフォン２００による、デジタルカメラ１００の情報の読み取りを、ＷｉＦｉ接続確立のための接続情報通知のときに行ってもよい。
【０１１０】
上記実施の形態において、スマートフォン２００のＮＦＣリーダライタ２４０は、デジタルカメラ１００のＮＦＣタグ１６０から、各種情報を読み取る例を説明した。このとき、デジタルカメラ１００のコントローラ１３５は、スマートフォン２００に読み取らせる情報を、ＮＦＣタグ１６０内のメモリに、予め書き込んでおいてもよいし、タッチ動作があったときに初めて書き込んでもよい。
【０１１１】
上記実施の形態においては、画像データを扱う場合について説明したが、本開示はこれに限定されない。音楽などのオーディオデータや、テキストデータに対しても適宜応用可能である。すなわち、実施の形態１に対する例では、録音再生機器を、スマートフォン２００で遠隔操作するような場合に、録音モードか再生モードかによって、スマートフォン２００の液晶モニタ２１５に表示させるユーザインタフェース画面を切り替えるようにしてもよい。実施の形態２に対する例では、録音再生機器で再生中の音楽データと属性情報が対応する音楽ファイルを、スマートフォン２００内のメモリから検索するようにしてもよい。実施の形態３に対する例では、録音再生機器で再生中の音楽データに関する参考情報（アーティスト情報や、歌詞のようなテキスト情報）を、スマートフォン２００の液晶モニタ２１５に表示させるようにしてもよい。
【０１１２】
上記実施の形態では、一例としてデジタルカメラとスマートフォンとの間の画像共有について説明したが、画像共有する機器の組み合わせはこれに限定されない。デジタルカメラ同士の画像共有の場合であっても、スマートフォン同士の画像共有の場合であっても、同じ技術思想が適用可能である。
【０１１３】
上記実施形態では、スマートフォン２００は、画像データを格納する記録媒体としてフラッシュメモリ２４５を備えていた。画像データを格納する記録媒体はこれに限定されない。スマートフォン２００は、フラッシュメモリ２４５に替えて又はそれに加えて、着脱可能なメモリカードに画像データを格納してもよい。
【０１１４】
デジタルカメラ１００のコントローラ１３５及びスマートフォン２００のコントローラ２２５は、例えば、ＣＰＵ，ＭＰＵ，ＦＰＧＡで構成される。
【０１１５】
以上のように、本開示における技術の例示として、実施の形態を説明した。そのために、添付図面および詳細な説明を提供した。
【０１１６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１８】
本開示の技術的思想は、デジタルカメラやスマートフォンへの実施に限定されない。すなわち、本開示の技術的思想は画像を通信可能な通信制御装置であれば、他の機器であっても実施可能である。
【手続補正３】
【補正対象書類名】図面
【補正対象項目名】全図
【補正方法】変更
【補正の内容】
【図１】
2014103312.tif 000025
【図２】
2014103312.tif 000026
【図３】
2014103312.tif 000027
【図４】
2014103312.tif 000028
【図５】
2014103312.tif 000029
【図６】
2014103312.tif 000030
【図７】
2014103312.tif 000031
【図８】
2014103312.tif 000032
【図９】
2014103312.tif 000033
【図１０】
2014103312.tif 000034
【図１１】
2014103312.tif 000035
【図１２】
2014103312.tif 000036
【図１３】
2014103312.tif 000037
【図１４】
2014103312.tif 000038
【図１５】
2014103312.tif 000039
【図１６】
2014103312.tif 000040
【図１７】
2014103312.tif 000041
【図１８】
2014103312.tif 000042
【図１９】
2014103312.tif 000043
【図２０】
2014103312.tif 000044
【図２１】
2014103312.tif 000045
【図２２】
2014103312.tif 000046
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
表示部と、
複数の動作モードを有する他の電子機器から、当該他の電子機器の現在の動作モードに関する情報を読み取る通信部と、
前記通信部により読み取った動作モードに関する情報に応じて、前記表示部に表示させるユーザインタフェース画面を選択する制御部と、
を備えた、電子機器。
【請求項２】
前記他の電子機器は、被写体を撮像して画像データを生成する撮像部を備え、さらに前記動作モードとして、前記撮像部による撮像動作を行う撮影モードを有し、
前記制御部は、前記通信部により読み取った動作モードに関する情報が前記撮影モードを示す場合、前記他の電子機器に対して遠隔撮影指示を行うためのユーザインタフェース画面を選択し、前記表示部に表示する、請求項１に記載の電子機器。
【請求項３】
前記他の電子機器は、画像データを記録する記録媒体を装着し、さらに、前記動作モードとして、前記記録媒体に記録された画像データの再生動作を行う再生モードを有し、
前記制御部は、前記通信部により読み取った動作モードに関する情報が前記再生モードを示す場合、前記他の電子機器に対して遠隔再生指示を行うためのユーザインタフェース画面を選択し、前記表示部に表示させる、請求項１に記載の電子機器。
【請求項４】
表示部と、
他の電子機器から、特定コンテンツの属性情報を近接通信を用いて読み取る通信部と、
前記通信部により読み取った属性情報に関連する属性情報を有するコンテンツデータを所定の記録媒体から読み出し、前記読み出したコンテンツデータに基づく情報を前記表示部に表示させる制御部と、
を備えた電子機器。
【請求項５】
前記他の電子機器は、表示部を備えており、
前記通信部は、前記他の電子機器の表示部に表示されているコンテンツを特定コンテンツとして、当該特定コンテンツの属性情報を読み取る、
請求項４に記載の電子機器。
【請求項６】
前記属性情報は、前記特定コンテンツを固有に識別する識別子であり、
前記制御部は、前記通信部により読み取った識別子と同一の識別子を有するコンテンツデータを前記記録媒体から読み出して、前記読み出したコンテンツデータが示すコンテンツを前記表示部に表示させる、
請求項４又は５に記載の電子機器。
【請求項７】
前記特定コンテンツは、画像であり、
前記属性情報は、前記画像を撮影した日付を示す日付情報、前記画像に含まれる個人を認識するための個人認識情報、前記画像を撮影した地理的位置を示す位置情報、前記画像を撮影した撮影シーンモードに関する情報のうちの少なくともいずれかを含む、
請求項４又は５に記載の電子機器。
【請求項８】
表示部と、
他の電子機器から、特定コンテンツの属性情報を読み取る通信部と、
前記通信部により読み取った属性情報に関連する情報であり、かつ前記他の電子機器及び自装置以外の電子機器から取得した参考情報を前記表示部に表示させる制御部と、
を備えた電子機器。
【請求項９】
前記他の電子機器は、表示部を備えており、
前記通信部は、前記他の電子機器が前記表示部に表示させたコンテンツを特定コンテンツとして、当該特定コンテンツの属性情報を読み取る、
請求項８に記載の電子機器。
【請求項１０】
前記特定コンテンツは、画像であり、
前記属性情報は、前記画像を撮影した地理的位置を示す位置情報であり、
前記制御部は、前記参考情報として、前記通信部により読み取った位置情報に対応する、地図画像、ランドマーク情報、Ｗｅｂサイトの画面のうちの少なくともいずれかを、前記表示部に表示させる、請求項８又は９に記載の電子機器。
【請求項１１】
電子機器の表示部におけるユーザインタフェース画面の表示方法であって、
複数の動作モードを有する他の電子機器から、当該他の機器の現在の動作モードに関する情報を読み取り、
前記読み取った動作モードに関する情報に応じて、前記表示部に表示させるユーザインタフェース画面を選択する、
ユーザインタフェース画面の表示方法。
【請求項１２】
電子機器における情報の表示方法であって、
所定の記録媒体にコンテンツデータを格納しておき、
通信を介して他の機器から特定コンテンツの属性情報を読み取り、
前記読み取った属性情報に関連する属性情報を有するコンテンツデータを近接通信を用いて前記所定の記録媒体から読み出し、前記読み出したコンテンツデータに基づく情報を前記電子機器の表示部に表示させる、
情報の表示方法。
【請求項１３】
電子機器における情報の表示方法であって、
通信を介して他の電子機器から特定コンテンツの属性情報を読み取り、
前記読み取った属性情報に関連する情報であり、かつ前記電子機器及び前記他の電子機器以外の電子機器から取得した参考情報を前記電子機器の表示部に表示させる、
情報の表示方法。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
表示部と、
複数の動作モードを有する他の電子機器から、当該他の電子機器の現在の動作モードに関する情報を読み取る通信部と、
前記通信部により読み取った動作モードに関する情報に応じて、前記表示部に表示させるユーザインタフェース画面を選択する制御部と、
を備え、
前記他の電子機器は、画像データを記録する記録媒体を装着し、さらに、前記動作モードとして、前記記録媒体に記録された画像データの再生動作を行う再生モードを有し、
前記制御部は、前記通信部により読み取った動作モードに関する情報が前記再生モードを示す場合、前記他の電子機器に対して遠隔再生指示を行うためのユーザインタフェース画面を選択し、前記表示部に表示させ、前記ユーザインタフェース画面のユーザによる操作によって前記記録媒体に記録された画像データを前記表示部に表示させる
電子機器。
【請求項２】
前記他の電子機器は、被写体を撮像して画像データを生成する撮像部を備え、さらに前記動作モードとして、前記撮像部による撮像動作を行う撮影モードを有し、
前記制御部は、前記通信部により読み取った動作モードに関する情報が前記撮影モードを示す場合、前記他の電子機器に対して遠隔撮影指示を行うためのユーザインタフェース画面を選択し、前記表示部に表示する、請求項１に記載の電子機器。
【請求項３】
表示部と、
他の電子機器から、特定コンテンツの属性情報を近接通信を用いて読み取る通信部と、
前記通信部により読み取った属性情報に関連する属性情報を有するコンテンツデータを所定の記録媒体から読み出し、前記読み出したコンテンツデータに基づく情報を前記表示部に表示させる制御部と、
を備えた電子機器。
【請求項４】
前記他の電子機器は、表示部を備えており、
前記通信部は、前記他の電子機器の表示部に表示されているコンテンツを特定コンテンツとして、当該特定コンテンツの属性情報を読み取る、
請求項３に記載の電子機器。
【請求項５】
前記属性情報は、前記特定コンテンツを固有に識別する識別子であり、
前記制御部は、前記通信部により読み取った識別子と同一の識別子を有するコンテンツデータを前記記録媒体から読み出して、前記読み出したコンテンツデータが示すコンテンツを前記表示部に表示させる、
請求項３又は４に記載の電子機器。
【請求項６】
前記特定コンテンツは、画像であり、
前記属性情報は、前記画像を撮影した日付を示す日付情報、前記画像に含まれる個人を認識するための個人認識情報、前記画像を撮影した地理的位置を示す位置情報、前記画像を撮影した撮影シーンモードに関する情報のうちの少なくともいずれかを含む、
請求項３又は４に記載の電子機器。
【請求項７】
表示部と、
他の電子機器から、特定コンテンツの属性情報を読み取る通信部と、
前記通信部により読み取った属性情報に関連する情報であり、かつ前記他の電子機器及び自装置以外の電子機器から取得した参考情報を前記表示部に表示させる制御部と、
を備えた電子機器。
【請求項８】
前記他の電子機器は、表示部を備えており、
前記通信部は、前記他の電子機器が前記表示部に表示させたコンテンツを特定コンテンツとして、当該特定コンテンツの属性情報を読み取る、
請求項７に記載の電子機器。
【請求項９】
前記特定コンテンツは、画像であり、
前記属性情報は、前記画像を撮影した地理的位置を示す位置情報であり、
前記制御部は、前記参考情報として、前記通信部により読み取った位置情報に対応する、地図画像、ランドマーク情報、Ｗｅｂサイトの画面のうちの少なくともいずれかを、前記表示部に表示させる、請求項７又は８に記載の電子機器。
【請求項１０】
電子機器の表示部におけるユーザインタフェース画面の表示方法であって、
複数の動作モードを有する他の電子機器から、当該他の機器の現在の動作モードに関する情報を読み取り、
前記読み取った動作モードに関する情報に応じて、前記表示部に表示させるユーザインタフェース画面を選択し、
前記他の電子機器は、画像データを記録する記録媒体を装着し、さらに、前記動作モードとして、前記記録媒体に記録された画像データの再生動作を行う再生モードを有し、
前記読み取った動作モードに関する情報が前記再生モードを示す場合、前記他の電子機器に対して遠隔再生指示を行うためのユーザインタフェース画面を選択し、前記表示部に表示させ、前記ユーザインタフェース画面のユーザによる操作によって前記記録媒体に記録された画像データを前記表示部に表示させる、
ユーザインタフェース画面の表示方法。
【請求項１１】
電子機器における情報の表示方法であって、
所定の記録媒体にコンテンツデータを格納しておき、
通信を介して他の機器から特定コンテンツの属性情報を読み取り、
前記読み取った属性情報に関連する属性情報を有するコンテンツデータを近接通信を用いて前記所定の記録媒体から読み出し、前記読み出したコンテンツデータに基づく情報を前記電子機器の表示部に表示させる、
情報の表示方法。
【請求項１２】
電子機器における情報の表示方法であって、
通信を介して他の電子機器から特定コンテンツの属性情報を読み取り、
前記読み取った属性情報に関連する情報であり、かつ前記電子機器及び前記他の電子機器以外の電子機器から取得した参考情報を前記電子機器の表示部に表示させる、
情報の表示方法。
【国際調査報告】
2014103312.tif 000047
2014103312.tif 000048
2014103312.tif 000049
2014103312.tif 000050